(57)【要約】【課題】操作の容易化を図ることができる引出装置を提供する。【解決手段】本体部と、本体部に引き出し及び押し込み可能に支持された引出部と、引出部をロック状態にする規制位置と引出部をロック解除状態にする許容位置とに位置が切り替えられる作動規制部３７１と、給電が行われると規制位置にある作動規制部３７１を許容位置に位置させると共に給電が停止されると許容位置にある作動規制部を規制位置に位置させる駆動部３９１と、駆動部３９１への給電が停止されると駆動部３９１に抗して作動規制部３７１を許容位置に保持する保持部４０１とを備える。【選択図】図１２
2018081356.tif 000002
【特許請求の範囲】
【請求項１】
本体部と、
前記本体部に引き出し及び押し込み可能に支持された引出部と、
前記引出部をロック状態にする規制位置と前記引出部をロック解除状態にする許容位置とに位置が切り替えられる作動規制部と、
給電が行われると前記規制位置にある前記作動規制部を前記許容位置に位置させると共に給電が停止されると前記許容位置にある前記作動規制部を前記規制位置に位置させる駆動部と、
前記駆動部への給電が停止されると前記駆動部に抗して前記作動規制部を前記許容位置に保持する保持部と
を備えることを特徴とする引出装置。
【請求項２】
前記保持部は、前記引出部が前記本体部から引き出された状態で前記駆動部への給電が停止されると、前記駆動部に抗して前記作動規制部を前記許容位置に保持することを特徴とする請求項１記載の引出装置。
【請求項３】
前記保持部は、前記引出部が前記本体部に押し込まれると、前記作動規制部の前記許容位置への保持を解除することを特徴とする請求項１又は２記載の引出装置。
【請求項４】
前記引出部に設けられた第１のレバーと、
前記引出部に前記第１のレバーとは別に設けられた第２のレバーと、
前記第１のレバーと前記第２のレバーとが同時に回動操作された状態になければ前記本体部に対する前記引出部の押し込みを規制する作動部と
を更に備えることを特徴とする請求項１乃至３の何れか一項記載の引出装置。
【請求項５】
本体部と、
前記本体部に引き出し及び押し込み可能に支持された引出部と、
前記引出部に設けられた第１のレバーと、
前記引出部に前記第１のレバーとは別に設けられた第２のレバーと、
前記第１のレバーと前記第２のレバーとが同時に回動操作された状態になければ前記本体部に対する前記引出部の押し込みを規制する作動部と
を備えることを特徴とする引出装置。
【請求項６】
前記作動部は、
前記本体部に設けられた当接部と、
前記引出部に設けられ、前記当接部に当接して前記本体部に対する前記引出部の押し込みを規制すると共に、前記第１のレバーが回動操作されることで退避して前記本体部に対する前記引出部の押し込みを許容する規制部材と
を有することを特徴とする請求項４又は５記載の引出装置。
【請求項７】
前記規制部材は、前記本体部に対し前記引出部が押し込まれて、前記第１のレバーの回動操作が解除されると、前記当接部に係合して、前記本体部に対し前記引出部をロックすることを特徴とする請求項６記載の引出装置。
【請求項８】
前記作動部は、
前記本体部に設けられたストッパ部と、
前記引出部に設けられ、前記ストッパ部に当接して前記本体部に対する前記引出部の押し込みを規制すると共に、前記第２のレバーが回動操作されることで退避して前記本体部に対する前記引出部の押し込みを許容する作動部材と
を有することを特徴とする請求項４乃至７の何れか一項記載の引出装置。
【請求項９】
前記作動部は、前記引出部が前記本体部に最も押し込まれた全閉位置の近傍で前記本体部に対する前記引出部の押し込みを規制することを特徴とする請求項４乃至８の何れか一項記載の引出装置。
【発明の詳細な説明】
【技術分野】
【０００１】
本発明は、引出装置に関する。
【背景技術】
【０００２】
入金された硬貨を収納庫又は収納繰出部に収納し、硬貨の出金時に収納繰出部から硬貨を繰り出して出金する硬貨処理装置がある（例えば特許文献１参照）。この種の硬貨処理装置においては、本体部に対し引き出し及び押し込み可能な引出部に金庫カセットを収容することが行われている。
【先行技術文献】
【特許文献】
【０００３】
【特許文献１】特許第５１３５１０３号公報
【発明の概要】
【発明が解決しようとする課題】
【０００４】
上記した硬貨処理装置のように、本体部に対し引き出し及び押し込み可能な引出部を有する引出装置において、引出部の開閉に関する操作を容易化することが求められている。
【０００５】
本発明は、このような事情を鑑みてなされたものであり、操作の容易化を図ることができる引出装置を提供する。
【課題を解決するための手段】
【０００６】
上記目的を達成するために、本発明に係る第１の態様は、本体部と、前記本体部に引き出し及び押し込み可能に支持された引出部と、前記引出部をロック状態にする規制位置と前記引出部をロック解除状態にする許容位置とに位置が切り替えられる作動規制部と、給電が行われると前記規制位置にある前記作動規制部を前記許容位置に位置させると共に給電が停止されると前記許容位置にある前記作動規制部を前記規制位置に位置させる駆動部と、前記駆動部への給電が停止されると前記駆動部に抗して前記作動規制部を前記許容位置に保持する保持部とを備えることを特徴とする。
【０００７】
上記第１の態様によれば、駆動部に給電して規制位置にある作動規制部を許容位置に位置させると、引出部がロック解除状態になる。駆動部への給電が停止されると、駆動部が許容位置にある作動規制部を規制位置に位置させて引出部をロック状態にしようとする。しかしながら、保持部が、駆動部への給電が停止されると、駆動部に抗して作動規制部を許容位置に保持する。よって、駆動部へ給電不能な状態になっても、煩雑な操作を必要とせずに、引出部をロック解除状態にすることができる。従って、操作が容易となる。
【０００８】
本発明に係る第２の態様は、上記第１の態様において、前記保持部は、前記引出部が前記本体部から引き出された状態で前記駆動部への給電が停止されると、前記駆動部に抗して前記作動規制部を前記許容位置に保持することを特徴とする。
【０００９】
上記第２の態様によれば、本体部に対し引出部が引き出された状態で駆動部への給電が停止されても、保持部が、駆動部に抗して作動規制部を許容位置に保持する。よって、駆動部へ給電不能な状態になっても、煩雑な操作を必要とせずに、本体部への引出部の押し込みを行うことができる。従って、操作が容易となる。
【００１０】
本発明に係る第３の態様は、上記第１又は第２の態様において、前記保持部は、前記引出部が前記本体部に押し込まれると、前記作動規制部の前記許容位置への保持を解除することを特徴とする。
【００１１】
上記第３の態様によれば、引出部が本体部に押し込まれると、保持部が作動規制部の許容位置への保持を解除する。すると、駆動部が許容位置にある作動規制部を規制位置に位置させて引出部をロック状態にする。
【００１２】
本発明に係る第４の態様は、上記第１乃至第３の何れか一態様において、前記引出部に設けられた第１のレバーと、前記引出部に前記第１のレバーとは別に設けられた第２のレバーと、前記第１のレバーと前記第２のレバーとが同時に回動操作された状態になければ前記本体部に対する前記引出部の押し込みを規制する作動部とを更に備えることを特徴とする。
【００１３】
上記第４の態様によれば、作動部は、第１のレバーと第２のレバーとが同時に回動操作された状態になければ本体部に対する引出部の押し込みを規制するため、引出部の押し込み時には、第１のレバー及び第２のレバーが両手で回動操作される。このように、引出部の押し込み時に、力を加える必要がある引出部に対して両手操作を行わせることができるため、両手操作を必要としても、操作が容易となる。加えて、引出部の押し込み時に両手操作を必要とするので、引出部の押し込み時に手挟み（指づめ）することを防止でき、安全性を向上させることができる。
【００１４】
本発明に係る第５の態様は、本体部と、前記本体部に引き出し及び押し込み可能に支持された引出部と、前記引出部に設けられた第１のレバーと、前記引出部に前記第１のレバーとは別に設けられた第２のレバーと、前記第１のレバーと前記第２のレバーとが同時に回動操作された状態になければ前記本体部に対する前記引出部の押し込みを規制する作動部とを備えることを特徴とする。
【００１５】
上記第５の態様によれば、作動部は、第１のレバーと第２のレバーとが同時に回動操作された状態になければ本体部に対する引出部の押し込みを規制するため、引出部の押し込み時には、第１のレバー及び第２のレバーが両手で回動操作される。このように、引出部の押し込み時に、力を加える必要がある引出部に対して両手操作を行わせることができるため、両手操作を必要としても、操作が容易となる。加えて、引出部の押し込み時に両手操作を必要とするので、引出部の押し込み時に手挟み（指づめ）することを防止でき、安全性を向上させることができる。
【００１６】
本発明に係る第６の態様は、上記第４又は５の態様において、前記作動部は、前記本体部に設けられた当接部と、前記引出部に設けられ、前記当接部に当接して前記本体部に対する前記引出部の押し込みを規制すると共に、前記第１のレバーが回動操作されることで退避して前記本体部に対する前記引出部の押し込みを許容する規制部材とを備えることを特徴とする。
【００１７】
上記第６の態様によれば、作動部は、引出部に設けられた規制部材が、本体部に設けられた当接部に当接して本体部に対する引出部の押し込みを規制することになり、第１のレバーが回動操作されることで規制部材が退避して本体部に対する引出部の押し込みを許容することになる。よって、作動部は、簡素な構成で、本体部に対する引出部の押し込み規制及び規制解除を行うことができる。
【００１８】
本発明に係る第７の態様は、上記第６の態様において、前記規制部材は、前記本体部に対し前記引出部が押し込まれて、前記第１のレバーの回動操作が解除されると、前記当接部に係合して、前記本体部に対し前記引出部をロックすることを特徴とする。
【００１９】
上記第７の態様によれば、作動部において、本体部に対する引出部の押し込みを規制する規制部材及び当接部が、本体部に対し引出部をロックするため、押し込み規制とロックとで部品を兼用することになり、部品点数を低減することができる。
【００２０】
本発明に係る第８の態様は、上記第４乃至第７の何れか一態様において、前記作動部は、前記本体部に設けられたストッパ部と、前記引出部に設けられ、前記ストッパ部に当接して前記本体部に対する前記引出部の押し込みを規制すると共に、前記第２のレバーが回動操作されることで退避して前記本体部に対する前記引出部の押し込みを許容する作動部材とを有することを特徴とする。
【００２１】
上記第８の態様によれば、作動部において、引出部に設けられた作動部材が、本体部に設けられたストッパ部に当接して本体部に対する引出部の押し込みを規制することになる。よって、作動部は、簡素な構成で、本体部に対する引出部の更に一つの押し込み規制を行うことができる。
【００２２】
本発明に係る第９の態様は、上記第４乃至第８の何れか一態様において、前記作動部は、前記引出部が前記本体部に最も押し込まれた全閉位置の近傍で前記本体部に対する前記引出部の押し込みを規制することを特徴とする。
【００２３】
上記第９の態様によれば、引出部が本体部に最も押し込まれた全閉位置の近傍で本体部に対する引出部の押し込みを規制することができる。
【発明の効果】
【００２４】
本発明によれば、操作の容易化を図った引出装置を提供することができる。
【図面の簡単な説明】
【００２５】
【図１】本発明に係る引出装置の一実施形態としての硬貨処理装置の構成を概略的に示す正面図である。
【図２】本発明に係る引出装置の一実施形態としての硬貨処理装置の正面図である。
【図３】本発明に係る引出装置の一実施形態としての硬貨処理装置の要部の斜視図であって、入金貯留部本体及び底板が共に装填位置にある状態を示すものである。
【図４】本発明に係る引出装置の一実施形態としての硬貨処理装置の要部の斜視図であって、入金貯留部本体及び底板が共に装填位置にある状態を示すものである。
【図５】本発明に係る引出装置の一実施形態としての硬貨処理装置の要部の斜視図であって、入金貯留部本体が収納位置にあり、底板が装填位置にある状態を示すものである。
【図６】本発明に係る引出装置の一実施形態としての硬貨処理装置の斜視図である。
【図７】本発明に係る引出装置の一実施形態としての硬貨処理装置の本体部から収納引出部を引き出した状態を示す斜視図である。
【図８】本発明に係る引出装置の一実施形態としての硬貨処理装置の収納引出部本体から収納カセットを引き出した状態を示す部分斜視図である。
【図９】本発明に係る引出装置の一実施形態としての硬貨処理装置の要部の斜視図であって、入金貯留部本体が返却位置にあり、底板が収納位置にある状態を示すものである。
【図１０】本発明に係る引出装置の一実施形態としての硬貨処理装置の要部の斜視図であって、入金貯留部本体が装填位置にあり、底板が収納位置にある状態を示すものである。
【図１１】本発明に係る引出装置の一実施形態としての硬貨処理装置の収納引出部の要部の斜視図である。
【図１２】本発明に係る引出装置の一実施形態としての硬貨処理装置の左把持レバー、ロック部、作動規制部及び保持部を示す斜視図である。
【図１３】本発明に係る引出装置の一実施形態としての硬貨処理装置の左把持レバー、作動規制部及び保持部を示す斜視図である。
【図１４】本発明に係る引出装置の一実施形態としての硬貨処理装置のロック部を示す側面図である。
【図１５】本発明に係る引出装置の一実施形態としての硬貨処理装置の収納引出部の要部の斜視図である。
【図１６】本発明に係る引出装置の一実施形態としての硬貨処理装置の右把持レバー及び押込規制部を示す斜視図である。
【図１７】本発明に係る引出装置の一実施形態としての硬貨処理装置の押込規制部を示す斜視図である。
【図１８】本発明に係る引出装置の一実施形態としての硬貨処理装置の押込規制部を示す側面図である。
【発明を実施するための形態】
【００２６】
本発明に係る引出装置の一実施形態としての硬貨処理装置を図面を参照して以下に説明する。以下の説明における「前」は硬貨処理装置の操作者側、「後」は硬貨処理装置の操作者とは反対側、「左」は硬貨処理装置の操作者から見て左、「右」は硬貨処理装置の操作者から見て右である。
【００２７】
第１実施形態に係る硬貨処理装置１０は、図１に示すように、バラの硬貨（以下、硬貨と称す）に関する処理を行う硬貨処理部１１と、棒金（包装硬貨）に関する処理を行う棒金処理部１２とを有している。硬貨処理部１１には、硬貨処理装置１０の全体を制御する制御部１４１と、硬貨処理装置１０に電源を供給する電源部１４２とが設けられている。
【００２８】
［硬貨処理部１１］
硬貨処理部１１は、図１に示すように、外部から入金された硬貨の入金処理を行う硬貨入金部２１と、硬貨入金部２１から硬貨を受け入れて収納する収納処理を行うと共に収納している硬貨を外部に取り出し可能に出金する硬貨収納出金部２２とを有している。
【００２９】
硬貨入金部２１は、外部から硬貨が投入されると共に投入された硬貨を一枚ずつ分離して繰り出す入金ホッパ３１と、入金ホッパ３１から繰り出された硬貨を搬送しつつ入金識別計数部３２で真偽、金種及び正損を識別して計数する入金搬送部３３と、入金識別計数部３２で偽つまり受け入れ不可と識別された硬貨を入金搬送部３３から落下案内する開閉式の入金リジェクト案内部３４と、入金リジェクト案内部３４で入金搬送部３３から案内された硬貨を収納する入金リジェクト部３５とを有している。
【００３０】
入金リジェクト部３５は、箱状であって、図２に示す硬貨処理装置１０の装置本体４１の上部ユニット４２から前方に引き出されて上部ユニット４２から取り外される。ここで、上部ユニット４２は、装置本体４１の建屋フロアに設置されるベース筐体４３に対し前方に引き出し可能に連結されている。入金リジェクト部３５は、ベース筐体４３に対し押し込まれた上部ユニット４２に装填された状態で、図１に示す入金リジェクト案内部３４で案内された硬貨を収納し、上部ユニット４２から取り外されることで、収納した硬貨が外部に取り出し可能となる。
【００３１】
硬貨入金部２１は、入金識別計数部３２で真つまり受け入れ可能と識別された硬貨を入金搬送部３３から落下案内する開閉式の包装案内部５５を有している。包装案内部５５で案内された硬貨は棒金処理部１２に搬送される。ここで、入金ホッパ３１に投入された硬貨の中から、設定金種の硬貨を包装して棒金とするローカル包装処理時に、包装案内部５５が、入金識別計数部３２の識別結果に基づいて、設定金種の硬貨を棒金処理部１２に案内し、設定金種以外の硬貨を入金リジェクト案内部３４が入金リジェクト部３５に案内する。棒金処理部１２は、硬貨処理部１１から送り込まれた硬貨を所定の包装単位枚数（例えば５０枚）ずつ集積させて包装する。
【００３２】
硬貨入金部２１は、入金識別計数部３２で受け入れ可能と識別された硬貨を入金搬送部３３から落下案内する貯留案内部６１と、貯留案内部６１で入金搬送部３３から案内された硬貨を一時貯留する入金貯留部６２（振分部）とを有している。入金貯留部６２は、図２に示す上部ユニット４２に設けられている。
【００３３】
図３に示すように、入金貯留部６２は、汚損のない正常硬貨（非汚損硬貨）を貯留する正常硬貨用の正常硬貨貯留部６０と、汚損がある汚損硬貨を貯留する汚損硬貨用の貯留区分部６３ｇ（汚損硬貨貯留部）とを有している。正常硬貨貯留部６０は、単一金種の正常硬貨を貯留する金種別の貯留区分部６３ａ〜６３ｆを有している。汚損硬貨用の貯留区分部６３ｇは、汚損硬貨を金種混合で貯留する。
【００３４】
図１に示す貯留案内部６１は、入金搬送部３３の前後方向に沿う直線状の部分に設けられており、最も包装案内部５５側の部分が開閉式で全金種の汚損硬貨を入金搬送部３３から落下させて入金貯留部６２に案内することになり、その包装案内部５５とは反対側の部分が常時開の選別孔式であって汚損のない正常硬貨を小径のものから順に入金搬送部３３から落下させて入金貯留部６２に案内する。
【００３５】
貯留案内部６１の上記の振り分けの順番に合わせて、入金貯留部６２は、図３に示すように、汚損硬貨を貯留する専用の貯留区分部６３ｇ、１円の正常硬貨を貯留する専用の貯留区分部６３ａ、５０円の正常硬貨を貯留する専用の貯留区分部６３ｂ、５円の正常硬貨を貯留する専用の貯留区分部６３ｃ、１００円の正常硬貨を貯留する専用の貯留区分部６３ｄ、１０円の正常硬貨を貯留する専用の貯留区分部６３ｅ、５００円の正常硬貨を貯留する専用の貯留区分部６３ｆが、前側から後側に向けて、この順に直線状に並べられている。つまり、入金貯留部６２は、その前後方向の最前位置に、硬貨を貯留する７つの貯留区分部６３ａ〜６３ｇのうちの汚損硬貨を貯留する貯留区分部６３ｇを配置している。
【００３６】
入金貯留部６２は、貯留区分部６３ａ〜６３ｇの側壁部分を形成する一体の入金貯留部本体６４と、貯留区分部６３ａ〜６３ｇの底部を開閉する底板６５と、入金貯留部本体６４を左右方向（装置幅方向）に水平移動させる図示略の本体駆動部と、底板６５を左右方向に水平移動させる図示略の底板駆動部と、図４に示すように、入金貯留部本体６４と底板６５との位置ズレを防止するロック機構６０１とを有している。入金貯留部６２は、図１に示す貯留案内部６１の鉛直下方が、硬貨収納繰出部８１へ硬貨を放出する収納繰出部放出位置であり、図３に示すように、この収納繰出部放出位置にあって底部を閉塞した状態、つまり装填位置に入金貯留部本体６４及び底板６５が位置する状態で、貯留案内部６１で案内された硬貨を貯留区分部６３ａ〜６３ｇに分類して受け入れる。
【００３７】
すなわち、入金貯留部本体６４が装填位置にあり、底板６５が装填位置にあるとき、入金貯留部６２は、収納繰出部放出位置にあって底部を閉じた状態となり、貯留案内部６１で案内された正常硬貨を正常硬貨貯留部６０に、汚損硬貨を貯留区分部６３ｇに貯留する。つまり、入金貯留部６２は、入金ホッパ３１に入金された正常硬貨を、金種別の貯留区分部６３ａ〜６３ｆに金種別に分けて貯留すると共に、汚損硬貨を貯留区分部６３ｇに貯留する。
【００３８】
ロック機構６０１は、入金貯留部本体６４に対しその下部開口部を閉塞する位置で底板６５をロックする。ロック機構６０１は、入金貯留部本体６４に取り付けられたソレノイド６０２と、ソレノイド６０２に取り付けられた略Ｌ字状の板部材６０３と、入金貯留部本体６４に固定された検出部６０４と、底板６５に固定された係合部６０５とを有している。ソレノイド６０２は、入金貯留部本体６４に固定されるソレノイドボディ６１０とソレノイドボディ６１０から下方に突出する図示略のプランジャとを有している。板部材６０３は、このプランジャの下端に固定される取付板部６１５と、取付板部６１５から下方に延出する係合板部６１６と、取付板部６１５から係合板部６１６と平行に係合板部６１６よりも短く突出する検出板部６１７とを有している。係合部６０５は、上部に下方に凹む係合凹部６２０を有しており、ソレノイド６０２が板部材６０３を下降させると、板部材６０３の係合板部６１６が係合凹部６２０に係合して、入金貯留部本体６４と底板６５とをロックする。その際に、板部材６０３の検出板部６１７がインタラプタ等の検出部６０４に検出されることで、ロック有りを検出する。ソレノイド６０２が板部材６０３を上昇させると、板部材６０３の係合板部６１６が係合凹部６２０から抜け出して、入金貯留部本体６４と底板６５とのロックを解除する。その際に、板部材６０３の検出板部６１７が検出部６０４に検出されなくなることで、ロック無しを検出する。
【００３９】
硬貨入金部２１は、入金貯留部６２が貯留区分部６３ａ〜６３ｇに分類して貯留している硬貨の落下を案内する収納シュート７１と、収納シュート７１で案内された硬貨を収納する硬貨収納部７０（収納部）とを有している。硬貨収納部７０に落下する硬貨を案内する収納シュート７１は、図５に示すように、入金貯留部６２がロック機構６０１を解除して底板６５を装填位置に保持した状態のまま入金貯留部本体６４を側方の収納位置に移動させることで貯留区分部６３ａ〜６３ｇから落下する硬貨を、その分類状態のままで移動させる。硬貨収納部７０は、入金貯留部６２がロック機構６０１を解除して底板６５を装填位置に保持した状態のまま入金貯留部本体６４を側方の収納位置に移動させることで貯留区分部６３ａ〜６３ｇから収納シュート７１に落下する硬貨を、その分類状態のままで収納する。
【００４０】
すなわち、入金貯留部本体６４が収納位置にあり、底板６５が装填位置にあると、入金貯留部６２は、硬貨収納部７０へ硬貨を放出する収納部放出位置にあって底部を開く状態となり、この収納部放出位置において底部が開くことで、正常硬貨貯留部６０に貯留している正常硬貨を収納シュート７１を介して硬貨収納部７０に落下させる。
【００４１】
収納シュート７１は、図３に示すように、貯留区分部６３ａから落下する１円の正常硬貨を案内する専用の案内部７１ａ、貯留区分部６３ｂから落下する５０円の正常硬貨を案内する専用の案内部７１ｂ、貯留区分部６３ｃから落下する５円の正常硬貨を案内する専用の案内部７１ｃ、貯留区分部６３ｄから落下する１００円の正常硬貨を案内する専用の案内部７１ｄ、貯留区分部６３ｅから落下する１０円の正常硬貨を案内する専用の案内部７１ｅ、貯留区分部６３ｆから落下する５００円の正常硬貨を案内する専用の案内部７１ｆが、前側から後側に向けて、この順に直線状に並べられている。
【００４２】
硬貨収納部７０は、図６及び図７に示すように、装置本体４１のベース筐体４３に対し前方に引き出し及び後方に押し込み可能となるように支持された収納引出部７２（引出部）の収納引出部本体７３に着脱可能に設けられている。硬貨処理部１１は、収納引出部７２、上部ユニット４２、ベース筐体４３及び後述する出金繰出引出部８５を本体部９０とし、収納引出部７２は、図６に示すように、上部ユニット４２と出金繰出引出部８５とをベース筐体４３に押し込んだ基本状態の本体部９０に対して、図７に示すように、前方に引き出し可能となっている。
【００４３】
硬貨収納部７０は、貯留区分部６３ａから落下する１円の正常硬貨を収納シュート７１の案内部７１ａを介して間接的に受け入れて収納する専用の収納カセット７０ａ、貯留区分部６３ｂから落下する５０円の正常硬貨を収納シュート７１の案内部７１ｂを介して間接的に受け入れて収納する専用の収納カセット７０ｂ、貯留区分部６３ｃから落下する５円の正常硬貨を収納シュート７１の案内部７１ｃを介して間接的に受け入れて収納する専用の収納カセット７０ｃ、貯留区分部６３ｄから落下する１００円の正常硬貨を収納シュート７１の案内部７１ｄを介して間接的に受け入れて収納する専用の収納カセット７０ｄ、貯留区分部６３ｅから落下する１０円の正常硬貨を収納シュート７１の案内部７１ｅを介して間接的に受け入れて収納する専用の収納カセット７０ｅ、貯留区分部６３ｆから落下する５００円の正常硬貨を収納シュート７１の案内部７１ｆを介して間接的に受け入れて収納する専用の収納カセット７０ｆが、前側から後側に向けて、この順に直線状に並べられている。
【００４４】
収納シュート７１の前方には、入金貯留部６２が収納部放出位置で底部を開くことによって貯留区分部６３ｇから落下する汚損硬貨を収納する汚損硬貨収納箱８２ｇが設けられている。
【００４５】
基本状態にある本体部９０に対する収納引出部７２の引き出し及び押し込み方向は、前後方向であり、基本状態にある本体部９０に対する収納引出部７２の引き出し方向に直交する横方向は、左右方向である。
【００４６】
図７に示すように、硬貨収納部７０を構成する収納カセット７０ａ〜７０ｆは、それぞれが箱状であって、装置本体４１のベース筐体４３に対し前方に引き出し可能となるように連結された収納引出部本体７３に個別に着脱可能に装填されている。収納引出部本体７３は、収納カセット７０ａ〜７０ｆが装填されるカセット装填部７７と、カセット装填部７７から収納カセット７０ａ〜７０ｆを引き出す際に収納カセット７０ａ〜７０ｆのスライドを図８に示すように案内するスライドガイド部７８とを有している。スライドガイド部７８は、カセット装填部７７の下端部から右方に延出しており、その結果、収納引出部本体７３は、前方から見てＬ字状となっている。収納カセット７０ａ〜７０ｆには、それぞれの上部を開閉する手動のシャッタ７６が設けられている。
【００４７】
硬貨収納部７０を構成する収納カセット７０ａ〜７０ｆは、収納引出部本体７３に装填された後、収納カセット７０ａ〜７０ｆ及び収納引出部本体７３からなる収納引出部７２が基本状態にある本体部９０に押し込まれると、入金貯留部６２から収納シュート７１を介して落下する硬貨を収納可能となる。また、収納カセット７０ａ〜７０ｆは、基本状態にある本体部９０から収納引出部７２が引き出された後、収納引出部本体７３から取り外されることで、個別に取り出し可能となる。なお、収納シュート７１及び硬貨収納部７０は、硬貨を金種別に分類せずに、金種混合で一括して案内し収納するものであっても良い。
【００４８】
図９に示すように、硬貨入金部２１は、入金貯留部６２が貯留区分部６３ａ〜６３ｇに分類して貯留している硬貨を外部に取り出し可能に返却する硬貨返却部７５を有している。硬貨返却部７５は、収納シュート７１と左右方向に並んで設けられている。硬貨返却部７５は、入金貯留部６２が底板６５及び入金貯留部本体６４を収納位置に移動させた後にロック機構６０１を解除して入金貯留部本体６４のみをさらに側方の返却位置に移動させることで貯留区分部６３ａ〜６３ｇから落下する硬貨を、その分類状態のままで収納する。
【００４９】
すなわち、入金貯留部本体６４が返却位置にあり、底板６５が収納位置にあると、入金貯留部６２は、硬貨返却部７５へ硬貨を放出する返却部放出位置にあって底部を開く状態となり、この返却部放出位置において底部が開くことで、正常硬貨貯留部６０に貯留している正常硬貨及び貯留区分部６３ｇに貯留している汚損硬貨を硬貨返却部７５に落下させる。
【００５０】
硬貨返却部７５は、貯留区分部６３ｇから落下する汚損硬貨をシュートを介することなく直接的に受け入れて収納する専用の図３に示す返却区分部７５ｇ、貯留区分部６３ａから落下する１円の正常硬貨をシュートを介することなく直接的に受け入れて収納する専用の返却区分部７５ａ、貯留区分部６３ｂから落下する５０円の正常硬貨をシュートを介することなく直接的に受け入れて収納する専用の返却区分部７５ｂ、貯留区分部６３ｃから落下する５円の正常硬貨をシュートを介することなく直接的に受け入れて収納する専用の返却区分部７５ｃ、貯留区分部６３ｄから落下する１００円の正常硬貨をシュートを介することなく直接的に受け入れて収納する専用の返却区分部７５ｄ、貯留区分部６３ｅから落下する１０円の正常硬貨をシュートを介することなく直接的に受け入れて収納する専用の返却区分部７５ｅ、貯留区分部６３ｆから落下する５００円の正常硬貨をシュートを介することなく直接的に受け入れて収納する専用の返却区分部７５ｆが、前側から後側に向けて、この順に直線状に並べられている。
【００５１】
硬貨返却部７５は、箱状であって返却区分部７５ａ〜７５ｇが一体に設けられている。硬貨返却部７５は、上部ユニット４２から前方に引き出されて取り外される。硬貨返却部７５は、ベース筐体４３に押し込まれた上部ユニット４２に装填された状態で入金貯留部６２からの硬貨を収納し、上部ユニット４２から取り外されることで、収納した硬貨が外部に取り出し可能となる。なお、硬貨返却部７５は、硬貨を金種別に分類せずに、金種混合で一括して収納するものであっても良い。
【００５２】
図３に示す硬貨収納出金部２２は、左右方向に収納シュート７１と並んで設けており、収納シュート７１の硬貨返却部７５とは反対側（右側）に設けられている。硬貨収納出金部２２は、入金貯留部６２が貯留区分部６３ａ〜６３ｆに分類して貯留している硬貨を出金可能に収納する硬貨収納繰出部８１（収納繰出部）を有している。硬貨収納繰出部８１は、図１０に示すように、入金貯留部６２がロック機構６０１を解除して入金貯留部本体６４を装填位置に保持した状態のまま底板６５を側方の収納位置に移動させることで貯留区分部６３ａ〜６３ｆから落下する硬貨を、その分類状態のままで出金可能に収納する。
【００５３】
すなわち、入金貯留部本体６４が装填位置にあり、底板６５が収納位置にあると、入金貯留部６２は、収納繰出部放出位置にあって底部を開く状態となり、この収納繰出部放出位置において底部が開くことで、正常硬貨貯留部６０に貯留している正常硬貨を硬貨収納繰出部８１に落下させる。そして、入金貯留部６２は、左右方向にスライドして、収納繰出部放出位置と収納部放出位置と返却部放出位置とに移動する。
【００５４】
硬貨収納繰出部８１は、貯留区分部６３ａから落下する１円の正常硬貨をシュートを介することなく直接的に受け入れて出金可能に収納する専用の出金ホッパ８１ａ（収納区分部）、貯留区分部６３ｂから落下する５０円の正常硬貨をシュートを介することなく直接的に受け入れて出金可能に収納する専用の出金ホッパ８１ｂ（収納区分部）、貯留区分部６３ｃから落下する５円の正常硬貨をシュートを介することなく直接的に受け入れて出金可能に収納する専用の出金ホッパ８１ｃ（収納区分部）、貯留区分部６３ｄから落下する１００円の正常硬貨をシュートを介することなく直接的に受け入れて出金可能に収納する専用の出金ホッパ８１ｄ（収納区分部）、貯留区分部６３ｅから落下する１０円の正常硬貨をシュートを介することなく直接的に受け入れて出金可能に収納する専用の出金ホッパ８１ｅ（収納区分部）、貯留区分部６３ｆから落下する５００円の正常硬貨をシュートを介することなく直接的に受け入れて出金可能に収納する専用の出金ホッパ８１ｆ（収納区分部）が、前側から後側に向けて、この順に直線状に並べられている。
【００５５】
よって、硬貨収納繰出部８１は、それぞれが単一金種の正常硬貨を繰り出し可能に収納する金種別の出金ホッパ８１ａ〜８１ｆを有しており、入金貯留部６２は、入金ホッパ３１に入金されて金種別の貯留区分部６３ａ〜６３ｆに金種別に分けて貯留している正常硬貨を、収納繰出部放出位置にて底部を開く状態となると、金種別に分けた状態のまま硬貨収納繰出部８１の金種別の出金ホッパ８１ａ〜８１ｆに収納可能となっている。
【００５６】
図１０に示すように、出金ホッパ８１ａの前方には、入金貯留部６２が収納繰出部放出位置で底部を開くこと、つまりロック機構６０１を解除して入金貯留部本体６４を装填位置に保持した状態のまま底板６５を側方の収納位置に移動させることで貯留区分部６３ｇから落下する汚損硬貨を、シュートを介することなく直接的に受け入れて全金種一括で収納する上記した汚損硬貨収納箱８２ｇが設けられている。出金ホッパ８１ｆの出金ホッパ８１ｅとは反対側には精査ホッパ８３ｈが設けられている。
【００５７】
汚損硬貨収納箱８２ｇは、入金貯留部６２が収納繰出部放出位置で底部を開くことによって貯留区分部６３ｇから落下する汚損硬貨を、シュートを介することなく直接的に受け入れて全金種一括で収納すると共に、入金貯留部６２が収納部放出位置で底部を開くことによって貯留区分部６３ｇから落下する汚損硬貨をも、シュートを介することなく直接的に受け入れて全金種一括で収納する。つまり、汚損硬貨収納箱８２ｇは、入金貯留部６２が収納繰出部放出位置及び収納部放出位置の何れにあっても、汚損硬貨を貯留する貯留区分部６３ｇから底部が開くことで落下する汚損硬貨を一括で収納する。
【００５８】
このため、汚損硬貨収納箱８２ｇは、左右方向、つまり出金繰出引出部８５の引き出し方向に直交する横方向において、収納シュート７１及び硬貨収納繰出部８１の両方に跨がる範囲に設けられている。そして、出金繰出引出部８５の引き出し方向に見て、汚損硬貨収納箱８２ｇは、収納シュート７１及び硬貨収納繰出部８１の両方に重なる一方、収納引出部７２には全く重ならず、収納引出部７２の本体部９０からの引き出しを可能としている。
【００５９】
硬貨収納繰出部８１を構成する出金ホッパ８１ａ〜８１ｆと、精査ホッパ８３ｈとは、装置本体４１のベース筐体４３に対し前方に引き出し可能となるように連結された出金繰出引出部８５に組み込まれている。汚損硬貨収納箱８２ｇは、この出金繰出引出部８５に着脱可能に設けられている。出金繰出引出部８５は、ベース筐体４３に押し込まれると、出金ホッパ８１ａ〜８１ｆ及び汚損硬貨収納箱８２ｇが、ベース筐体４３に押し込まれた状態の上部ユニット４２に設けられた入金貯留部６２の貯留区分部６３ａ〜６３ｇから落下する硬貨を収納可能となる。
【００６０】
汚損硬貨収納箱８２ｇは、出金繰出引出部８５の出金繰出引出部本体にセットされ、出金繰出引出部本体と共にベース筐体４３に装填された状態、つまり硬貨処理装置１０の内部に装填された状態では、硬貨を繰り出すことはなく硬貨の収納のみを行う。つまり、汚損硬貨収納箱８２ｇは硬貨を繰り出し不可に収納する。
【００６１】
出金ホッパ８１ａは、収納している硬貨を下部の計数繰出部９１ａで計数を行って繰り出し、出金ホッパ８１ｂは、収納している硬貨を下部の計数繰出部９１ｂで同様に繰り出し、出金ホッパ８１ｃは、収納している硬貨を下部の計数繰出部９１ｃで同様に繰り出し、出金ホッパ８１ｄは、収納している硬貨を下部の計数繰出部９１ｄで同様に繰り出し、出金ホッパ８１ｅは、収納している硬貨を下部の計数繰出部９１ｅで同様に繰り出し、出金ホッパ８１ｆは、収納している硬貨を下部の計数繰出部９１ｆで同様に繰り出す。精査ホッパ８３ｈは、収納している硬貨を下部の識別計数繰出部９３ｈで金種を識別し計数して繰り出す。
【００６２】
出金ホッパ８１ａ〜８１ｆを有する硬貨収納繰出部８１は、正常硬貨を収納すると共に、収納している正常硬貨を繰り出し可能に構成される。収納カセット７０ａ等を有する硬貨収納部７０は、硬貨収納繰出部８１とは別に設けられて正常硬貨を収納する。入金貯留部６２は、硬貨を貯留すると共に貯留している硬貨の収納先を硬貨収納繰出部８１と硬貨収納部７０と硬貨返却部７５とに選択的に切り替える。入金貯留部６２は、収納先を硬貨収納繰出部８１とした場合に、貯留している硬貨を金種別に分けて金種別の出金ホッパ８１ａ〜８１ｆに収納する。
【００６３】
硬貨収納出金部２２は、図１に示すように、出金ホッパ８１ａ〜８１ｆ及び精査ホッパ８３ｈから計数しつつ繰り出された硬貨を搬送する硬貨出金搬送部１０１と、硬貨出金搬送部１０１で搬送されてきた硬貨を収納する硬貨出金部１０２（出金部）と、硬貨出金部１０２に収納されている硬貨を案内する出金リジェクト案内部１０３と、出金リジェクト案内部１０３で硬貨出金部１０２から案内された硬貨を収納する出金リジェクト部１０４とを有している。
【００６４】
硬貨出金部１０２は、箱状であって、図２に示す装置本体４１の収納引出部７２から前方に引き出されて収納引出部７２から取り外される。硬貨出金部１０２は、ベース筐体４３に対し押し込まれた収納引出部７２に装填された状態で硬貨を収納し、収納引出部７２から取り外されることで、収納した硬貨が外部に取り出し可能となる。
【００６５】
出金リジェクト部１０４は、箱状であって、収納引出部７２から前方に引き出されて収納引出部７２から取り外される。出金リジェクト部１０４は、ベース筐体４３に対し押し込まれた収納引出部７２に装填された状態で、出金リジェクト案内部１０３で硬貨出金部１０２から案内された硬貨を収納し、収納引出部７２から取り外されることで、収納した硬貨が外部に取り出し可能となる。
【００６６】
図３に示すように、出金ホッパ８１ａ〜８１ｆの計数繰出部９１ａ〜９１ｆ及び精査ホッパ８３ｈの識別計数繰出部９３ｈは前後方向に直線状に並んで配置されており、これらの硬貨繰り出し方向の前方に、硬貨出金搬送部１０１を構成する繰出側搬送路１１１が設けられている。また、硬貨出金搬送部１０１は、この繰出側搬送路１１１の精査ホッパ８３ｈとは反対側の端部から硬貨を受け取って、繰出側搬送路１１１に垂直な左右方向に搬送する出金側搬送路１１２を有している。この出金側搬送路１１２は、繰出側搬送路１１１から汚損硬貨収納箱８２ｇの方向に延びている。
【００６７】
ここで、入金処理時には、入金ホッパ３１に投入された硬貨を入金ホッパ３１によって一枚ずつ分離した状態で入金搬送部３３に繰り出し、入金搬送部３３で搬送しながら、入金識別計数部３２で真偽、金種及び正損を識別して計数する。そして、入金識別計数部３２で偽つまり受け入れ不可と識別された硬貨を入金リジェクト案内部３４で入金搬送部３３から案内して入金リジェクト部３５に収納する。他方、入金識別計数部３２で受け入れ可能と識別された硬貨を貯留案内部６１で入金搬送部３３から案内して、収納繰出部放出位置にあって底部を閉塞した状態の入金貯留部６２に分類して貯留させる。入金貯留部６２は、貯留区分部６３ｇに全金種の汚損硬貨を、貯留区分部６３ａに１円の正常硬貨を、貯留区分部６３ｂに５０円の正常硬貨を、貯留区分部６３ｃに５円の正常硬貨を、貯留区分部６３ｄに１００円の正常硬貨を、貯留区分部６３ｅに１０円の正常硬貨を、貯留区分部６３ｆに５００円の正常硬貨を、それぞれ貯留することになる。
【００６８】
そして、入金ホッパ３１内にあった全ての硬貨が入金リジェクト部３５或いは入金貯留部６２に至ったと判定すると、制御部１４１は、入金識別計数部３２の識別結果から、受け入れ可能な入金硬貨の金種別の枚数データを図示略の表示部に表示させると共に、図示略の操作部に了解操作及びキャンセル操作の何れか一方の選択入力を受け付ける状態になって入金処理を終了する。
【００６９】
入金処理後、操作部に了解操作が入力されると、制御部１４１は、硬貨収納繰出部８１に硬貨を収納可能であるか否かを判定する。例えば硬貨収納繰出部８１が硬貨を繰り出す繰出処理を行っている場合等、硬貨収納繰出部８１への硬貨の収納処理を禁止する状態になっていると、制御部１４１は、硬貨収納繰出部８１に硬貨を収納可能でないと判定して、入金貯留部６２を、図５に示すように、収納部放出位置で底部を開放した状態とし、貯留区分部６３ａ〜６３ｇから落下する硬貨をその分類状態のままで硬貨収納部７０に収納する収納部収納処理を行う。
【００７０】
この収納部収納処理によって、貯留区分部６３ｇから落下する汚損硬貨を汚損硬貨収納箱８２ｇが収納し、貯留区分部６３ａから落下する１円の正常硬貨を収納カセット７０ａが収納し、貯留区分部６３ｂから落下する５０円の正常硬貨を収納カセット７０ｂが収納し、貯留区分部６３ｃから落下する５円の正常硬貨を収納カセット７０ｃが収納し、貯留区分部６３ｄから落下する１００円の正常硬貨を収納カセット７０ｄが収納し、貯留区分部６３ｅから落下する１０円の正常硬貨を収納カセット７０ｅが収納し、貯留区分部６３ｆから落下する５００円の正常硬貨を収納カセット７０ｆが収納する。その後、制御部１４１は、入金貯留部本体６４を図３に示す装填位置に戻してロック機構６０１によって入金貯留部本体６４と底板６５とをロックして、収納部収納処理すなわち入金収納処理を終了する。
【００７１】
他方、制御部１４１は、例えば硬貨収納繰出部８１が硬貨を繰り出す繰出処理を行っていない場合等、硬貨収納繰出部８１への硬貨の収納処理を許容する状態になっていれば、硬貨収納繰出部８１に硬貨を収納可能であると判定して、図１０に示すように、入金貯留部６２を収納繰出部放出位置で底部を開放する状態として、貯留区分部６３ａ〜６３ｇから落下する硬貨をその分類状態のままで硬貨収納繰出部８１及び汚損硬貨収納箱８２ｇに収納する硬貨収納繰出部等収納処理を行う。
【００７２】
この硬貨収納繰出部等収納処理によって、貯留区分部６３ｇから落下する汚損硬貨を汚損硬貨収納箱８２ｇが、貯留区分部６３ａから落下する１円の正常硬貨を出金ホッパ８１ａが、貯留区分部６３ｂから落下する５０円の正常硬貨を出金ホッパ８１ｂが、貯留区分部６３ｃから落下する５円の正常硬貨を出金ホッパ８１ｃが、貯留区分部６３ｄから落下する１００円の正常硬貨を出金ホッパ８１ｄが、貯留区分部６３ｅから落下する１０円の正常硬貨を出金ホッパ８１ｅが、貯留区分部６３ｆから落下する５００円の正常硬貨を出金ホッパ８１ｆが、それぞれ収納する。その後、制御部１４１は、図３に示すように、底板６５を装填位置に戻してロック機構６０１によって入金貯留部本体６４と底板６５とをロックして、硬貨収納繰出部等収納処理つまり入金収納処理を終了する。ここで、制御部１４１は、この硬貨収納繰出部等収納処理を開始した後は、この硬貨収納繰出部等収納処理が終了するまでは、硬貨収納繰出部８１の硬貨を繰り出す繰出処理を禁止する。そして、硬貨収納繰出部等収納処理が終了すると、硬貨収納繰出部８１の硬貨を繰り出す繰出処理を許容する状態になる。
【００７３】
以上、硬貨収納出金部２２の硬貨収納繰出部８１が繰出処理中でなければ、入金貯留部６２に貯留している硬貨を硬貨収納繰出部８１に収納しても、繰出処理を行っていない硬貨収納繰出部８１に繰り出しジャムが発生することはないため、硬貨収納繰出部８１の非繰出処理時には、入金貯留部６２に貯留している硬貨を、その分類状態のまま、硬貨収納繰出部８１に収納する。
【００７４】
入金処理後、操作部にキャンセル操作が入力されると、制御部１４１は、図９に示すように、入金貯留部６２を返却部放出位置で底部を開く状態として、貯留区分部６３ａ〜６３ｇから落下する硬貨をその分類状態のままで硬貨返却部７５に収納する。
【００７５】
すなわち、貯留区分部６３ｇから落下する汚損硬貨を返却区分部７５ｇが、貯留区分部６３ａから落下する１円の正常硬貨を返却区分部７５ａが、貯留区分部６３ｂから落下する５０円の正常硬貨を返却区分部７５ｂが、貯留区分部６３ｃから落下する５円の正常硬貨を返却区分部７５ｃが、貯留区分部６３ｄから落下する１００円の正常硬貨を返却区分部７５ｄが、貯留区分部６３ｅから落下する１０円の正常硬貨を返却区分部７５ｅが、貯留区分部６３ｆから落下する５００円の正常硬貨を返却区分部７５ｆが、それぞれ収納する。その後、制御部１４１は、図３に示すように、底板６５及び入金貯留部本体６４を装填位置に戻してロック機構６０１によって入金貯留部本体６４と底板６５とをロックして、返却処理を終了する。この状態で、硬貨返却部７５は、図２に示すベース筐体４３から取り外されて、収納していた硬貨が外部に取り出される。
【００７６】
硬貨出金搬送部１０１は、図３に示すように、出金側搬送路１１２の繰出側搬送路１１１とは反対側の端部に、出金側搬送路１１２で搬送中の硬貨の重なりを崩すローラ１１３を有しており、出金側搬送路１１２の繰出側搬送路１１１とは反対側に、出金側搬送路１１２とローラ１１３との間を通過して出金側搬送路１１２から一枚ずつ繰り出される硬貨を金種識別を行って計数する出金識別計数部１１４を有している。この出金識別計数部１１４の識別結果に基づいて、硬貨出金部１０２に出金すべき硬貨を収納させたり、硬貨出金部１０２の出金に適さない硬貨をさらに出金リジェクト案内部１０３で出金リジェクト部１０４に収納させたりする。
【００７７】
ここで、出金処理時には、図示略の操作部に出金させる硬貨の金種別の枚数を含む出金処理操作が入力されると、制御部１４１は、硬貨収納繰出部８１の出金ホッパ８１ａ〜８１ｆの対応する金種のものから硬貨を繰り出す繰出処理を行って硬貨出金部１０２に搬送する。
【００７８】
例えば、出金させる硬貨に１円の正常硬貨が含まれている場合、出金ホッパ８１ａから硬貨をその計数繰出部９１ａで出金枚数だけ繰り出し、繰出側搬送路１１１及び出金側搬送路１１２で搬送して、出金識別計数部１１４で識別しつつ計数して、硬貨出金部１０２に搬送する。出金ホッパ８１ｂ〜８１ｆについても同様にする。そして、出金させる全金種の硬貨をそれぞれの設定枚数繰り出すと、制御部１４１は、硬貨出金処理を終了する。その後、硬貨出金部１０２が、装置本体４１の収納引出部７２から取り外されて、収納していた硬貨が外部に取り出される。すなわち、硬貨出金部１０２は、硬貨収納繰出部８１の繰出処理により繰り出された硬貨を外部に取り出し可能に出金する。ここで、硬貨出金処理において、出金識別計数部１１４で、出金させる硬貨に含まれない金種の硬貨や、出金枚数を超える枚数の硬貨が検出された場合、制御部１４１は、硬貨出金部１０２に貯留していた全ての硬貨を、出金リジェクト案内部１０３で出金リジェクト部１０４に収納して、硬貨出金処理をやり直す。
【００７９】
出金側搬送路１１２と汚損硬貨収納箱８２ｇとの間には、出金側搬送路１１２と平行に戻入下搬送路１２１が設けられており、出金側搬送路１１２と戻入下搬送路１２１との間には、出金側搬送路１１２で繰出側搬送路１１１から出金識別計数部１１４に向けて搬送中の硬貨を、出金側搬送路１１２側に揺動することで戻入下搬送路１２１に移動させる揺動可能な精査ゲート１２２が設けられている。戻入下搬送路１２１には硬貨の残留を検出する図示略の戻入下残留検知センサが設けられている。戻入下搬送路１２１の上側には、戻入下搬送路１２１で搬送されてきた硬貨を上方に搬送する戻入縦搬送路１２３が設けられている。戻入縦搬送路１２３には末端位置に硬貨を計数する図示略の戻入縦計数センサが設けられている。
【００８０】
繰出側搬送路１１１の上方には、これと平行に戻入上搬送路１２５が設けられており、戻入上搬送路１２５は戻入縦搬送路１２３から硬貨を受け取って搬送する。戻入上搬送路１２５の出金ホッパ８１ａ〜８１ｆとは反対側には、戻入上搬送路１２５で搬送中の硬貨を出金ホッパ８１ａ〜８１ｆ及び精査ホッパ８３ｈに振り分ける揺動可能な戻入ゲート１２６ａ〜１２６ｆが設けられている。
【００８１】
戻入ゲート１２６ａは出金ホッパ８１ａ側に揺動することで硬貨を出金ホッパ８１ａに収納し、戻入ゲート１２６ｂは出金ホッパ８１ｂ側に揺動することで硬貨を出金ホッパ８１ｂに収納し、戻入ゲート１２６ｃは出金ホッパ８１ｃ側に揺動することで硬貨を出金ホッパ８１ｃに収納し、戻入ゲート１２６ｄは出金ホッパ８１ｄ側に揺動することで硬貨を出金ホッパ８１ｄに収納し、戻入ゲート１２６ｅは出金ホッパ８１ｅ側に揺動することで硬貨を出金ホッパ８１ｅに収納し、戻入ゲート１２６ｆは出金ホッパ８１ｆ側に揺動することで硬貨を出金ホッパ８１ｆに収納する。戻入上搬送路１２５は、戻入ゲート１２６ａ〜１２６ｆで出金ホッパ８１ａ〜８１ｆに収納されなかった硬貨を末端位置から精査ホッパ８３ｈに収納する。戻入上搬送路１２５には硬貨の残留を検出する図示略の残留検知センサが設けられている。
【００８２】
ここで、出金ホッパ８１ａ〜８１ｆの硬貨量を精査する精査処理時には、例えば、出金ホッパ８１ａの硬貨を、計数繰出部９１ａで繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で精査ホッパ８３ｈに収納させる。このようにして、出金ホッパ８１ａに収納されていた硬貨を全て精査ホッパ８３ｈに移動させて出金ホッパ８１ａを空にする。この時、在高枚数と計数繰出部９１ａの計数枚数が一致した後、所定の時間出金ホッパ８１ａを駆動し計数繰出部９１ａに到達する硬貨が無いことで空と判断する。或いは、出金ホッパ８１ａ内に図示略の出金ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００８３】
その後、精査ホッパ８３ｈから硬貨を識別計数繰出部９３ｈで識別しつつ計数して繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で搬送し、戻入ゲート１２６ａで出金ホッパ８１ａに戻し精査ホッパ８３ｈを空にする。この時、在高データと識別計数繰出部９３ｈの硬貨データ（枚数と金種）の一致を確認し、所定の時間、精査ホッパ８３ｈを駆動し識別計数繰出部９３ｈに到達する効果が無いことで空と判断する。或いは、精査ホッパ８３ｈ内に図示略の精査ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００８４】
これにより、出金ホッパ８１ａ内の硬貨データ（枚数と金種）を確定する。出金ホッパ８１ｂ〜８１ｆについても同様にして硬貨データ（枚数と金種）を確定する。出金ホッパ８１ａの精査時において、精査ホッパ８３ｈから硬貨を繰り出している時に、異金種が繰り出された場合は、繰出側搬送部１１１のみを停止して、出金側搬送路１１２、戻入下搬送路１２１、戻入縦搬送路１２３及び戻入上搬送路１２５上の硬貨は全て８１ａ内へ移送する。その後、精査ゲート１２２を出金識別計数部１１４に搬送する状態に移動し、搬送部１１１を駆動させることで搬送部１１１上の硬貨を全て硬貨出金部１０２経由で出金リジェクト部１０４へ収納する。更にその後、精査ゲート１２２を戻入下搬送路１２１側へ切り替え精査処理を継続する。出金ホッパ８１ｂ〜８１ｆについても同様である。
【００８５】
なお、汚損硬貨収納箱８２ｇを出金ホッパ８１ａ〜８１ｆと同様に、収納している汚損硬貨を計数して繰出側搬送路１１１に繰り出し可能な汚損ホッパ（図示略）として構成することで、汚損ホッパ内の硬貨量の自動精査が可能になる。精査処理時には、出金ホッパ８１ａ〜８１ｆの硬貨量の精査と同様に、汚損ホッパに収納されている汚損硬貨を精査ホッパ８３ｈに移動させて、精査ホッパ８３ｈから汚損硬貨を識別計数繰出部９３ｈで識別しつつ計数して汚損ホッパに戻すことで、汚損ホッパ内の硬貨量を確定する。これにより、汚損硬貨収納箱８２ｇの硬貨量の精査のために、出金繰出引出部８５を引き出して汚損硬貨収納箱８２ｇの硬貨を硬貨入金部２１に戻し入れる処理が不要になるため、ユーザの処理負担が低減する。また、出金ホッパ８１ａ内の硬貨へのアクセスを制限できるため、セキュリティが向上する。
【００８６】
繰出側搬送路１１１の中間位置には、小径側の３金種の硬貨を収納する出金ホッパ８１ａ〜８１ｃから計数繰出部９１ａ〜９１ｃで繰り出されて繰出側搬送路１１１で搬送される硬貨を、硬貨収納繰出部８１側に揺動することで図１に示す棒金処理部１２側に繰り出す小径側中間ゲート１３１と、大径側の３金種の硬貨を収納する出金ホッパ８１ｄ〜８１ｆから計数繰出部９１ｄ〜９１ｆで繰り出されて繰出側搬送路１１１で搬送される硬貨を、硬貨収納繰出部８１側に揺動することで棒金処理部１２側に繰り出す大径側中間ゲート１３２とが設けられている。大径側中間ゲート１３２は、精査ホッパ８３ｈから識別計数繰出部９３ｈで繰り出されて繰出側搬送路１１１で搬送される硬貨を、硬貨収納繰出部８１側に揺動することで棒金処理部１２側に繰り出す。
【００８７】
［棒金処理部１２］
棒金処理部１２は、図１に示すように、硬貨収納出金部２２から硬貨を受け入れて包装し棒金とする包装処理を行う包装部２０１と、包装部２０１で作製した棒金を収納する棒金収納部２０２と、包装部２０１及び棒金収納部２０２から棒金を受け入れて外部に取り出し可能に出金する棒金出金部２０３とを有している。
【００８８】
包装部２０１は、硬貨収納出金部２２の出金ホッパ８１ａ〜８１ｆの何れか一金種用の出金ホッパから計数繰出部９１ａ〜９１ｆの対応するもので繰り出され、繰出側搬送路１１１と、小径側中間ゲート１３１或いは大径側中間ゲート１３２とで棒金処理部１２に搬送されてきた硬貨を受け取って包装する。また、包装部２０１は、精査ホッパ８３ｈから識別計数繰出部９３ｈで繰り出され、繰出側搬送路１１１と大径側中間ゲート１３２とで棒金処理部１２に搬送されてきた硬貨を受け取って包装する。また、包装部２０１は、入金ホッパ３１から繰り出され、包装案内部５５で棒金処理部１２に案内されてきた硬貨を受け取って包装する。
【００８９】
ここで、硬貨処理装置１０は、出金ホッパ８１ａ〜８１ｆの何れかの硬貨量が所定量であるニアフル値を超えると、自動包装処理を行うことになる。この自動包装処理では、出金ホッパ８１ａ〜８１ｆのうちの硬貨量がニアフル値を超えたものから計数繰出部９１ａ〜９１ｆの対応するもので硬貨を繰り出す繰出処理を行い、この繰出処理で繰り出され、繰出側搬送路１１１と、小径側中間ゲート１３１或いは大径側中間ゲート１３２とで棒金処理部１２に搬送されてきた硬貨を包装部２０１で受け取って包装する。
【００９０】
また、硬貨処理装置１０は、入金ホッパ３１に投入された硬貨を包装するローカル包装処理において、入金ホッパ３１に投入された硬貨から指定された金種以外の硬貨を入金リジェクト案内部３４で入金リジェクト部３５に案内する一方、指定された金種の硬貨を包装案内部５５で棒金処理部１２に案内することになり、包装部２０１は、このように包装案内部５５で案内された硬貨を受け取って包装する。
【００９１】
包装部２０１は、棒金処理部１２における硬貨処理部１１側にあって、硬貨処理部１１から硬貨を受け入れると共に、受け入れた硬貨を、金種識別しつつ計数して包装単位枚数（５０枚）ずつ繰り出す硬貨識別計数部２１１と、硬貨識別計数部２１１から繰り出された包装単位枚数の硬貨を集積させて紙或いは樹脂フィルムからなる包装紙を巻き回し、この包装紙を切断した後、集積方向に両側の包装紙の余長部分を内側に丸めるように加締めることにより棒金とする硬貨集積包装部２１２とを有している。
【００９２】
包装部２０１は、硬貨集積包装部２１２で作製されて下方に繰り出された棒金を３方向に振り分けて搬送する棒金振分搬送部２１３と、棒金振分搬送部２１３で第１の方向に振り分けられた棒金を収納する自動時端数棒金収納部２１４と、棒金振分搬送部２１３で第２の方向に振り分けられた棒金を収納するローカル時端数棒金収納部２１５とを有している。自動時端数棒金収納部２１４は、自動包装処理において、包装単位枚数に満たない数の硬貨を包装した端数棒金を収納することになり、ローカル時端数棒金収納部２１５は、ローカル包装処理において、包装単位枚数に満たない数の硬貨を包装した端数棒金を収納することになる。
【００９３】
自動時端数棒金収納部２１４及びローカル時端数棒金収納部２１５は、何れも箱状であって、装置本体４１から前方に引き出されて取り外される。自動時端数棒金収納部２１４及びローカル時端数棒金収納部２１５は、何れも装置本体４１に装填された状態で、棒金振分搬送部２１３により振り分けられた端数棒金を収納し、装置本体４１から取り外されることで、収納した端数棒金が外部に取り出し可能となる。
【００９４】
棒金出金部２０３は、棒金振分搬送部２１３で硬貨処理部１１とは反対の第３の方向に振り分けられた棒金を受け取って昇降搬送する棒金出金リフト２２１を有している。棒金振分搬送部２１３で第３の方向に振り分けられる棒金は、端数棒金以外の棒金つまり包装単位枚数の硬貨を包装して作製した正常棒金である。棒金出金部２０３は、棒金出金リフト２２１で搬送されてきた棒金を外部に放出する下部棒金放出口２２２と、棒金出金リフト２２１で搬送されてきた棒金を受け取って外部に取り出し可能に収納する上部棒金出金口２２３と、棒金出金リフト２２１で搬送されてきた棒金を外部に取り出し可能に収納する棒金一括収納部２２４とを有している。
【００９５】
下部棒金放出口２２２は、外部に臨んで設けられており、棒金出金リフト２２１から受け取った棒金を図示略の受箱に向けて放出する。上部棒金出金口２２３は、外部に臨んで設けられており、棒金出金リフト２２１から受け取った棒金を外部に取り出し可能に収納する。棒金一括収納部２２４は、箱状であって、装置本体４１から引き出されて取り外される。棒金一括収納部２２４は、装置本体４１に装填された状態で、棒金出金リフト２２１から受け取った棒金を収納し、装置本体４１から取り外されることで、収納した棒金が外部に取り出し可能となる。
【００９６】
棒金収納部２０２は、棒金出金リフト２２１で搬送されてきた棒金を受け取って硬貨処理部１１の方向に搬送する棒金収納搬送部２３１と、棒金収納搬送部２３１から棒金を受け取って上方に搬送する棒金収納リフト２３２と、棒金収納リフト２３２で搬送されてきた棒金を受け取って金種別に分類して収納する棒金収納本体部２３３と、棒金収納本体部２３３から金種別に棒金を計数しつつ棒金出金リフト２２１に繰り出す棒金繰出部２３４とを有している。棒金出金リフト２２１は、棒金繰出部２３４で棒金収納本体部２３３から繰り出された棒金を受け取って、上部棒金出金口２２３及び棒金一括収納部２２４に振り分ける。
【００９７】
収納引出部７２の収納引出部本体７３は、スライドレール（不図示）によって、本体部９０のベース筐体４３に引き出し及び押し込み可能に支持されているが、ベース筐体４３から抜け落ちないように引き出し方向の図７に示す最大引き出し位置を超える移動が規制されている。
【００９８】
硬貨処理装置１０は、図１１に示すように、収納引出部本体７３の前方つまり引き出し方向手前側の前面に、左取っ手３０１と、左取っ手３０１とは別の右取っ手３０２とを備えている。左取っ手３０１と右取っ手３０２とは、高さ位置を合わせて左右に間隔をあけて設けられている。左取っ手３０１は、左取っ手ベース３０５と、左把持レバー３０６（第１のレバー）と、左把持レバー３０６を回動付勢する図示略の左把持レバースプリングとを有している。右取っ手３０２は、右取っ手ベース３１１と、右把持レバー３１２（第２のレバー）と、右把持レバー３１２を回動付勢する図示略の右把持レバースプリングとを有している。左取っ手３０１及び右取っ手３０２が収納引出部本体７３に別々に設けられることで、左把持レバー３０６及び右把持レバー３１２も、収納引出部本体７３に別々に設けられている。
【００９９】
左取っ手ベース３０５は、後方に向け凹む左凹状部３１５を有している。
【０１００】
図１２に示すように、左把持レバー３０６は、左回転軸３２１と、左把持レバー本体３２２と、左押圧板３２３とを有している。左回転軸３２１は、収納引出部本体７３内の左取っ手ベース３０５よりも上側に左右方向に沿う姿勢で設けられており、収納引出部本体７３において位置固定で回転可能に設けられている。
【０１０１】
左把持レバー本体３２２は、左回転軸３２１に固定される左固定部３３１と、左固定部３３１から下方に延出して左取っ手ベース３０５の図１３に示す左上開口部３１６に挿入される左中間延出部３３２と、左中間延出部３３２よりも下側に設けられ、図１２に示すように、左取っ手ベース３０５の左凹状部３１５内の上部の前側端部に配置される左把持部３３３とを有している。左回転軸３２１に左固定部３３１で固定された左把持レバー本体３２２は、左回転軸３２１を中心に回動して下部の左把持部３３３が前後方向に移動する。図示略の左把持レバースプリングは、左把持部３３３が後側に位置して左取っ手ベース３０５と前面同士を面一にするように左把持レバー３０６を後方に付勢する。
【０１０２】
左押圧板３２３は、左回転軸３２１の左把持レバー本体３２２よりも左側に固定されている。左押圧板３２３は、左回転軸３２１に固定される左固定板部３４１と、左固定板部３４１の左把持レバー本体３２２側から後方に延出する左当接板部３４２と、左固定板部３４１の左把持レバー本体３２２とは反対側から後方に延出する左押圧板部３４３とを有している。左把持レバー本体３２２の左把持部３３３が、図示略の左把持レバースプリングの付勢力に抗して手前に引かれて左回転軸３２１が回転すると、左回転軸３２１に固定された左押圧板３２３も左回転軸３２１を中心に回転し、その結果、左押圧板３２３の左当接板部３４２及び左押圧板部３４３が下方に移動する。
【０１０３】
硬貨処理装置１０は、収納引出部本体７３と本体部９０との間に、左把持レバー３０６の回動操作で作動するロック部３５１を備えている。ロック部３５１は、何れも収納引出部本体７３に設けられる左ロックレバー３５２（規制部材）、左ロックレバー３５２を支持する左ロックレバー支持軸３５３及び左ロックレバー３５２を回動付勢する図示略の左ロックレバースプリングと、本体部９０に位置固定で設けられる左ロックピン３５４（当接部）とを有している。
【０１０４】
左ロックレバー支持軸３５３は、左把持レバー３０６の左押圧板部３４３の後方且つ下方に、左右方向に沿う姿勢で設けられており、収納引出部本体７３において位置固定で設けられている。左ロックレバー３５２は、前後方向に延びる姿勢でこの左ロックレバー支持軸３５３に支持されており、この左ロックレバー支持軸３５３を中心に回動する。左ロックレバー３５２は、左ロックレバー支持軸３５３から後方に延びるロックレバー本体部３６１と、ロックレバー本体部３６１の前後方向の後部から下方に突出するロック片部３６２とを有している。これにより、ロックレバー本体部３６１のロック片部３６２側の根元部３６３はロック片部３６２よりも上側に位置している。
【０１０５】
図６に示すように、収納引出部７２が本体部９０に対し最も押し込まれた全閉位置（ロック位置）にあるとき、図１２、図１４（Ａ）及び図１５に示すように、左ロックレバー３５２は、ロックレバー本体部３６１の根元部３６３が、本体部９０に固定された左ロックピン３５４に載置され、ロック片部３６２が左ロックピン３５４にその後側で対向して、左ロックピン３５４に係合する。このとき、左ロックレバー３５２は、図１４（Ａ）に示すように、略水平に配置されており、ロック片部３６２は、左ロックピン３５４に対向するロック面３６６が収納引出部７２の引き出し方向に直交している。よって、左ロックレバー３５２は、収納引出部７２の本体部９０からの引き出し方向の移動を規制する。これにより、ロック部３５１は、左ロックレバー３５２が本体部９０の左ロックピン３５４に係合すると本体部９０に対し収納引出部７２を全閉位置で移動不可にロックするロック状態となる。また、左ロックレバー３５２は、ロックレバー本体部３６１及びロック片部３６２の左ロックレバー支持軸３５３とは反対側の面がロック面３６６と平行な左当接面３６７となっている。
【０１０６】
左ロックレバー３５２は、ロックレバー本体部３６１の前端部が、左押圧板３２３の左押圧板部３４３に対し前後方向の位置を重ね合わせて、その直下に配置されている。これにより、左把持レバー３０６の左把持部３３３が、図示略の左把持レバースプリングの付勢力に抗して手前に引かれて、図１４（Ｂ）に示すように、左押圧板部３４３が下方に移動すると、左ロックレバー３５２の左ロックレバー支持軸３５３よりも前側が左押圧板部３４３で下向きに押圧されて下降する。すると、左ロックレバー３５２が図示略の左ロックレバースプリングの付勢力に抗して左ロックレバー支持軸３５３を中心に回動してロック片部３６２を上昇させることになり、ロック片部３６２が左ロックピン３５４から上方に退避する。これにより、左ロックレバー３５２の左ロックピン３５４への係合が解除されて、収納引出部７２の本体部９０からの引き出し方向の移動が許容される。つまり、ロック部３５１は、左把持レバー３０６が回動操作されることによって、収納引出部７２の本体部９０への全閉位置でのロックを解除するロック解除状態となる。
【０１０７】
左把持レバー３０６が回動操作されることにより、ロック部３５１が収納引出部７２の本体部９０への全閉位置でのロックを解除した状態で、本体部９０に対し収納引出部７２が全閉位置から引き出された後、左把持レバー３０６の回動操作が解除されると、左把持レバー３０６が図示略の左把持レバースプリングの付勢力で上記とは逆に回動し、左押圧板部３４３を上方に移動させる。すると、左ロックレバー３５２への下向きの押圧を解除する。その結果、左ロックレバー３５２が、左ロックレバースプリングの付勢力で左ロックレバー支持軸３５３を中心に回動してロック片部３６２を下降させることになり、図１４（Ｃ）に示すように、略水平に配置されて、ロック片部３６２が左ロックピン３５４と高さを合わせる。
【０１０８】
この状態のまま、収納引出部７２が本体部９０に対し全閉位置近傍まで押し込まれると、図１４（Ｃ）に示すように、所定の全閉前位置で左ロックレバー３５２のロック片部３６２が左ロックピン３５４に当接する。このとき、ロック片部３６２は、左ロックピン３５４に当接する左当接面３６７が収納引出部７２の押し込み方向に直交しており、よって、収納引出部７２の本体部９０への押し込み方向の移動を規制する。これにより、ロック部３５１は、本体部９０に対する収納引出部７２の全閉位置への押し込みを規制する。収納引出部７２に設けられた左ロックレバー３５２は、左ロックピン３５４に当接して本体部９０に対する収納引出部７２の全閉位置への押し込みを規制する。所定の全閉前位置は、例えば、全閉位置の約６０ｍｍ前方となっている。
【０１０９】
この状態で、左把持レバー３０６の左把持部３３３が手前に引かれると、上記と同様、左ロックレバー３５２の左ロックレバー支持軸３５３よりも前側が左把持レバー３０６の左押圧板部３４３で下向きに押圧されて下降し、左ロックレバー３５２が左ロックレバー支持軸３５３を中心に回動してロック片部３６２を上昇させることになり、ロック片部３６２が左ロックピン３５４から上方に退避する。これにより、左ロックレバー３５２の左ロックピン３５４への当接が解除されて、収納引出部７２の本体部９０への押し込み方向の移動が許容される。つまり、ロック部３５１は、左把持レバー３０６が回動操作されることによって、収納引出部７２の全閉位置への押し込みを許容する。左ロックレバー３５２は、左把持レバー３０６が回動操作されることで退避して本体部９０に対する収納引出部７２の全閉位置への押し込みを許容する。
【０１１０】
このようにして収納引出部７２が全閉位置まで押し込まれた後、左把持レバー３０６の回動操作が解除されると、上記と同様、左把持レバー３０６の左押圧板部３４３が上方に移動して、左ロックレバー３５２への下向きの押圧を解除する。その結果、左ロックレバー３５２が左ロックレバースプリングの付勢力で左ロックレバー支持軸３５３を中心に回動してロック片部３６２を下降させることになり、ロック片部３６２が左ロックピン３５４の後側に位置して、収納引出部７２の本体部９０からの引き出し方向の移動を規制する。これにより、ロック部３５１は、収納引出部７２が全閉位置まで押し込まれて左把持レバー３０６の回動操作が解除されると、本体部９０に対し収納引出部７２を全閉位置にロックする。左ロックレバー３５２は、本体部９０に対し収納引出部７２が全閉位置まで押し込まれて、左把持レバー３０６の回動操作が解除されると、左ロックピン３５４に係合して、本体部９０に対し収納引出部７２を全閉位置にロックする。
【０１１１】
硬貨処理装置１０は、図１２に示すように、収納引出部本体７３内の左取っ手３０１の後側に、ロック部３５１の作動を規制して収納引出部７２をロック状態にする規制位置と、ロック部３５１の作動を許容して収納引出部７２をロック解除状態にする許容位置とに位置が切り替えられる作動規制部３７１を備えている。作動規制部３７１は、規制板３７２と、規制板３７２を支持する規制板支持軸３７３とを有している。
【０１１２】
規制板支持軸３７３は、左把持レバー３０６の左当接板部３４２の後方且つ下方に、前後方向に沿う姿勢で設けられており、収納引出部本体７３において位置固定で設けられている。規制板３７２は、上下方向に延びる姿勢でこの規制板支持軸３７３に支持されており、この規制板支持軸３７３を中心に回動する。規制板３７２は、上下方向に延びる主板部３８１と、主板部３８１の上端から前方に突出する規制板部３８２と、主板部３８１の下端から前方に突出する解除板部３８３とを有している。規制板部３８２は、上下方向に略直交するように広がっており、解除板部３８３は左右方向に略直交するように広がっている。
【０１１３】
規制板３７２は、図１２に示すように、規制板部３８２を左把持レバー３０６の左当接板部３４２の鉛直下方に位置させると、左把持レバー３０６の左当接板部３４２の下方移動を規制する。その結果、左把持レバー３０６の左把持部３３３が手前に引かれても、左把持レバー３０６の回動を規制する。この位置が、作動規制部３７１の規制板３７２の規制位置であり、規制板３７２は、この規制位置にあると、左把持レバー３０６及びこれに連動するロック部３５１の作動を規制する。
【０１１４】
規制板３７２は、図１３に示すように、規制板部３８２を左把持レバー３０６の左当接板部３４２の鉛直下方から退避させると、左把持レバー３０６の左当接板部３４２の下方移動を許容する。その結果、左把持レバー３０６の左把持部３３３が手前に引かれると、左把持レバー３０６が回動する。この位置が、作動規制部３７１の規制板３７２の許容位置であり、規制板３７２は、この許容位置にあると、左把持レバー３０６及びこれに連動するロック部３５１の作動を許容する。作動規制部３７１の規制板３７２は、規制位置と許容位置とに位置が切り替えられる。
【０１１５】
硬貨処理装置１０は、収納引出部本体７３内の左取っ手３０１の後側に、給電が行われると規制位置にある作動規制部３７１の規制板３７２を図１３に示す許容位置に位置させると共に、給電が停止されると許容位置にある規制板３７２を図１２に示す規制位置に位置させる駆動部３９１を備えている。駆動部３９１は、給電が行われると規制位置にある規制板３７２を許容位置に位置させるソレノイド３９２と、給電が停止されると許容位置にある規制板３７２を規制位置に位置させる図示略の規制板スプリングとを有している。
【０１１６】
図１３に示すように、ソレノイド３９２は、ソレノイドボディ３９５と、ソレノイドボディ３９５に対してスライドするプランジャ３９６とを有している。ソレノイド３９２は、ソレノイドボディ３９５が収納引出部本体７３に位置固定で設けられており、ソレノイドボディ３９５からプランジャ３９６を左方に突出させる姿勢で、規制板３７２の右側に配置されている。ソレノイド３９２は、規制板３７２の主板部３８１における規制板部３８２と規制板支持軸３７３との間にプランジャ３９６が連結されている。これにより、ソレノイド３９２は、給電が行われるとプランジャ３９６をソレノイドボディ３９５に引き込んで、それまで規制位置にあって左把持レバー３０６の左当接板部３４２の鉛直下方にあった規制板３７２の規制板部３８２を左当接板部３４２の鉛直下方から退避する許容位置に位置させる。
【０１１７】
図示略の規制板スプリングは、ソレノイド３９２の給電が解除されると、プランジャ３９６をソレノイドボディ３９５から引き出しながら、それまで許容位置にあって左把持レバー３０６の左当接板部３４２の鉛直下方から退避していた規制板３７２の規制板部３８２を、左当接板部３４２の鉛直下方の規制位置に位置させる。
【０１１８】
硬貨処理装置１０は、収納引出部本体７３の左取っ手３０１の下方に、本体部９０に対し収納引出部７２が全閉位置から引き出され、駆動部３９１への給電が停止されると駆動部３９１に抗して作動規制部３７１を許容位置に保持する保持部４０１を備えている。保持部４０１は、保持部材４０２と、保持部材４０２を支持する保持部材支持軸４０３と、保持部材４０２を付勢する図示略の保持部材スプリングと、当接ローラ４０４と、当接ローラ４０４を保持部材４０２に支持するローラ支持軸４０５とを有している。
【０１１９】
保持部材支持軸４０３は、作動規制部３７１の規制板３７２の下方に、上下方向に沿う姿勢で設けられており、収納引出部本体７３において位置固定で設けられている。保持部材４０２は水平に広がる状態で、この保持部材支持軸４０３に支持されており、この保持部材支持軸４０３を中心に回動する。保持部材４０２は、保持部材支持軸４０３から規制板３７２の解除板部３８３の左方に向け延出する基端延出板部４１１と、保持部材支持軸４０３から右方に向け延出する中間延出板部４１２と、中間延出板部４１２の保持部材支持軸４０３とは反対側から解除板部３８３の右方に向け延出する先端延出板部４１３とを有している。
【０１２０】
ローラ支持軸４０５は、基端延出板部４１１の保持部材支持軸４０３とは反対側の端部に、基端延出板部４１１から上方に突出するように保持部材支持軸４０３と平行に設けられている。ローラ支持軸４０５は、保持部材４０２において位置固定で設けられている。当接ローラ４０４は、ローラ支持軸４０５に支持されて、ローラ支持軸４０５を中心に回転する。図示略の保持部材スプリングは、先端延出板部４１３を規制板３７２の解除板部３８３に右方から当接させてこれを左方に押圧するように保持部材４０２を付勢する。図示略の保持部材スプリングの付勢力は、ソレノイド３９２への給電が停止された状態でも、規制板３７２を図示略の規制板スプリングの付勢力に抗して許容位置に保持可能な付勢力となっている。
【０１２１】
保持部４０１は、図１５に示すように、保持部材支持軸４０３と、当接ローラ４０４と、保持部材４０２の基端延出板部４１１とが、収納引出部本体７３の左方外側に配置されており、保持部材４０２の中間延出板部４１２が収納引出部本体７３の側部開口部４１８を通っていて、保持部材４０２の先端延出板部４１３が収納引出部本体７３内に配置されている。保持部材４０２は、本体部９０に対し収納引出部７２が全閉位置まで押し込まれた状態では、本体部９０の内側壁面に当接して保持部材スプリングの付勢力に抗して、図１３に示すように、先端延出板部４１３を規制板３７２の解除板部３８３から離間させる。また、本体部９０に対し収納引出部７２が全閉位置から引き出されると、保持部４０１は、当接ローラ４０４が本体部９０から離間して、保持部材４０２が保持部材スプリングの付勢力で先端延出板部４１３を解除板部３８３に当接させて規制板３７２を許容位置に位置させる。これにより、保持部４０１は、本体部９０に対し収納引出部７２が全閉位置から引き出されると、駆動部３９１への給電が停止されても作動規制部３７１の規制板３７２を図１３に示す許容位置に保持する。但し、図１３は、ソレノイド３９２の駆動で規制板３７２が許容位置に位置する状態を示しており、保持部４０１は、当接ローラ４０４が本体部９０に当接して先端延出板部４１３を解除板部３８３から離間させている。
【０１２２】
保持部４０１は、本体部９０に対し収納引出部７２が全閉位置まで押し込まれると、当接ローラ４０４が、本体部９０に当接して保持部材スプリングの付勢力に抗して先端延出板部４１３を規制板３７２の解除板部３８３から離間させることになり、規制板３７２の許容位置への保持を解除する。その結果、駆動部３９１への給電が停止された状態で、規制板３７２は図示略の規制板スプリングの付勢力で図１２に示す規制位置に位置する。
【０１２３】
図１６に示すように、右取っ手ベース３１１は、後方に向け凹む右凹状部５１５と、右凹状部５１５の上部を上下に貫通する図示略の右上開口部とを有している。
【０１２４】
右把持レバー３１２は、右回転軸５２１と、右把持レバー本体５２２と、右押圧板５２３とを有している。右回転軸５２１は、収納引出部本体７３内の右取っ手ベース３１１よりも上側に左右方向に沿う姿勢で設けられており、収納引出部本体７３において位置固定で回転可能に設けられている。
【０１２５】
右把持レバー本体５２２は、右回転軸５２１に固定される右固定部５３１と、右固定部５３１から下方に延出して右取っ手ベース３１１の図示略の右上開口部に挿入される右中間延出部５３２と、右中間延出部５３２よりも下側に設けられ、右取っ手ベース３１１の右凹状部５１５内の上部の前側端部に配置される右把持部５３３とを有している。右回転軸５２１に右固定部５３１で固定された右把持レバー本体５２２は、右回転軸５２１を中心に回動して下部の右把持部５３３が前後方向に移動する。図示略の右把持レバースプリングは、右把持部５３３が後方に位置して右取っ手ベース３１１と前面同士を面一にするように右把持レバー３１２を後方に付勢する。
【０１２６】
右押圧板５２３は、右把持レバー本体５２２の右側に固定されている。右押圧板５２３は、右把持レバー本体５２２に固定される右固定板部５４１と、右固定板部５４１から後方に延出する右押圧板部５４３とを有している。右把持レバー本体５２２の右把持部５３３が、図示略の右把持レバースプリングの付勢力に抗して手前に引かれて右回転軸５２１を中心に回転すると、右把持レバー本体５２２に固定された右押圧板５２３も右回転軸５２１を中心に回転し、その結果、右押圧板５２３の右押圧板部５４３が下方に移動する。
【０１２７】
硬貨処理装置１０は、収納引出部７２と本体部９０との間に、右把持レバー３１２の回動操作で作動する押込規制部５５１を備えている。押込規制部５５１は、何れも収納引出部本体７３に設けられる上下リンク部材５５２と、中間リンク部材５５３と、右規制レバー５５４（作動部材）と、中間リンク部材５５３及び右規制レバー５５４を支持する右規制レバー支持軸５５５と、右規制レバー５５４を回動付勢する図示略の右規制レバースプリングとを有しており、更に、本体部９０に位置固定で設けられる右ストッパピン５５８（ストッパ部）を有している。
【０１２８】
上下リンク部材５５２は、右把持レバー３１２の右押圧板部５４３の下方に、上下方向に沿う姿勢で設けられており、上下移動可能に設けられている。右規制レバー支持軸５５５は、上下リンク部材５５２の後方且つ下方且つ右方に、左右方向に沿う姿勢で設けられており、収納引出部本体７３において位置固定で設けられている。右規制レバー支持軸５５５は、図１７に示すように、収納引出部本体７３のスライドガイド部７８側に配置されている。中間リンク部材５５３は、前後方向に延びる姿勢でこの右規制レバー支持軸５５５の左端に固定されており、この右規制レバー支持軸５５５を中心に回動する。右規制レバー５５４は、前後方向に延びる姿勢でこの右規制レバー支持軸５５５の右端に固定されており、この右規制レバー支持軸５５５を中心に回動する。よって、中間リンク部材５５３、右規制レバー支持軸５５５及び右規制レバー５５４は、一体に回動する。
【０１２９】
右規制レバー５５４は、右規制レバー支持軸５５５から後方に延びる規制レバー本体部５６１と、規制レバー本体部５６１の後端から下方に突出する規制片部５６２とを有している。これにより、規制レバー本体部５６１の規制片部５６２側の根元部５６３は規制片部５６２よりも上側に位置している。
【０１３０】
図６に示すように、収納引出部７２が本体部９０に対し最も押し込まれた全閉位置（ロック位置）にあるとき、図１６、図１７及び図１８（Ａ）に示すように、右規制レバー５５４は、規制レバー本体部５６１の根元部５６３が、本体部９０に固定された右ストッパピン５５８に載置され、規制片部５６２が右ストッパピン５５８にその後側で対向して、右ストッパピン５５８に係合する。このとき、右規制レバー５５４は、図１８（Ａ）に示すように、略水平に配置されて、規制片部５６２が、右ストッパピン５５８に前後方向で対向する。規制片部５６２の右ストッパピン５５８に対向する対向面５６６は、後ろ下がりに傾斜しており、よって、収納引出部７２の本体部９０からの引き出し方向の移動を規制しない。これにより、押込規制部５５１は、右規制レバー５５４が右ストッパピン５５８に係合しても本体部９０に対し収納引出部７２を全閉位置で移動不可にロックすることはない。また、右規制レバー５５４は、略水平に配置された状態で、規制レバー本体部５６１及び規制片部５６２の右規制レバー支持軸５５５とは反対側の右当接面５６７が、収納引出部７２の引き出し方向に対し直交している。
【０１３１】
図１６及び図１７に示すように、中間リンク部材５５３は、右規制レバー支持軸５５５よりも前側の前端部が、上下リンク部材５５２の下端部に対し前後方向の位置を重ね合わせて、その直下に配置されている。これにより、図１６に示す右把持レバー３１２の右把持部５３３が、図示略の右把持レバースプリングの付勢力に抗して手前に引かれて右押圧板部５４３が下方に移動すると、右押圧板部５４３に押圧されて上下リンク部材５５２が下降して、中間リンク部材５５３の右規制レバー支持軸５５５よりも前側を下向きに押圧する。すると、中間リンク部材５５３、右規制レバー支持軸５５５及び右規制レバー５５４が、右規制レバースプリングの付勢力に抗して右規制レバー支持軸５５５を中心に一体に回動して、図１８（Ｂ）に示すように、右規制レバー５５４の規制片部５６２を上昇させることになり、規制片部５６２が右ストッパピン５５８から上方に退避する。
【０１３２】
右把持レバー３１２の右把持部５３３が手前に引かれていなくても、本体部９０に対し収納引出部７２が全閉位置から引き出されると、右規制レバー５５４は、対向面５６６の傾斜により、右規制レバースプリングの付勢力に抗して右規制レバー支持軸５５５を中心に回動しながら右ストッパピン５５８を乗り越えた後、右規制レバースプリングの付勢力で戻って、略水平に配置されて、規制片部５６２の高さを右ストッパピン５５８に合わせる。
【０１３３】
この状態のまま、収納引出部７２が本体部９０に対し全閉位置近傍まで押し込まれると、図１８（Ｃ）に示すように、所定の全閉前位置で右規制レバー５５４の規制片部５６２が右ストッパピン５５８に当接する。このとき、規制片部５６２は、右ストッパピン５５８に当接する右当接面５６７が収納引出部７２の押し込み方向に直交しており、よって、収納引出部７２の本体部９０への押し込み方向の移動を規制する。これにより、押込規制部５５１は、本体部９０に対する収納引出部７２の全閉位置への押し込みを規制する。収納引出部７２に設けられた右規制レバー５５４は、右ストッパピン５５８に当接して本体部９０に対する収納引出部７２の全閉位置への押し込みを規制する。ここで、この押込規制部５５１が、本体部９０に対する収納引出部７２の全閉位置への押し込みを規制する位置と、上記したロック部３５１が、本体部９０に対する収納引出部７２の全閉位置への押し込みを規制する位置とは、同じ全閉前位置となっている。
【０１３４】
押込規制部５５１で、本体部９０に対する収納引出部７２の全閉位置への押し込みを規制した状態で、右把持レバー３１２の右把持部５３３が手前に引かれると、上記と同様、上下リンク部材５５２が右把持レバー３１２の右押圧板部５４３で下向きに押圧されて下降し、中間リンク部材５５３の右規制レバー支持軸５５５よりも前側が上下リンク部材５５２で下向きに押圧されて下降し、中間リンク部材５５３、右規制レバー支持軸５５５及び右規制レバー５５４が右規制レバー支持軸５５５を中心に回動して右規制レバー５５４の規制片部５６２を上昇させることになり、規制片部５６２が右ストッパピン５５８から上方に退避する。これにより、右規制レバー５５４の右ストッパピン５５８への当接が解除されて、収納引出部７２の本体部９０への押し込み方向の移動が許容される。つまり、押込規制部５５１は、左把持レバー３０６とは別の右把持レバー３１２が回動操作されることによって、収納引出部７２の全閉位置への押し込みを許容する。右規制レバー５５４は、右把持レバー３１２が回動操作されることで退避して本体部９０に対する収納引出部７２の全閉位置への押し込みを許容する。
【０１３５】
このようにして収納引出部７２が全閉位置まで押し込まれた後、右把持レバー３１２の回動操作が解除されると、上記と同様、右把持レバー３１２の右押圧板部５４３が上方に移動して、上下リンク部材５５２による中間リンク部材５５３への下向きの押圧を解除する。その結果、中間リンク部材５５３、右規制レバー支持軸５５５及び右規制レバー５５４が、右規制レバースプリングの付勢力で右規制レバー支持軸５５５を中心に回動して右規制レバー５５４の規制片部５６２を下降させることになり、規制片部５６２が右ストッパピン５５８の後側に位置し、右規制レバー５５４が右ストッパピン５５８に係合する。この状態でも、右規制レバー５５４は、収納引出部７２の本体部９０からの引き出し方向の移動を規制することはない。
【０１３６】
以上により、ロック部３５１は、本体部９０に対し収納引出部７２を全閉位置にロックすると共に、左把持レバー３０６が回動操作されることにより本体部９０に対し収納引出部７２のロックを解除する。また、ロック部３５１及び押込規制部５５１が、左把持レバー３０６と右把持レバー３１２とが同時に回動操作された状態になければ本体部９０に対する収納引出部７２の全閉位置への押し込みを規制する。よって、ロック部３５１及び押込規制部５５１が、本体部９０に対し収納引出部７２を全閉位置にロックすると共に、一方の左把持レバー３０６が回動操作されることにより本体部９０に対する収納引出部７２のロックを解除し、更に、左把持レバー３０６と右把持レバー３１２とが同時に回動操作された状態になければ本体部９０に対する収納引出部７２の全閉位置への押し込みを規制する作動部５７１を構成する。作動部５７１は、収納引出部７２が本体部９０に最も押し込まれた全閉位置の近傍で本体部９０に対する収納引出部７２への押し込みを規制する。
【０１３７】
本体部９０に対し収納引出部７２が全閉位置にあり、ロック部３５１が、図１１、図１２及び図１４（Ａ）に示す状態にあって、本体部９０に対し収納引出部７２を全閉位置にロックしている状態から、本体部９０から収納引出部７２を引き出すために、図示略の操作部に所定の引き出し操作が入力されると、制御部１４１が、駆動部３９１のソレノイド３９２に給電して、図１２に示す規制位置にある作動規制部３７１の規制板３７２を図１３に示す許容位置に位置させる。すなわち、制御部１４１から給電されたソレノイド３９２は、プランジャ３９６をソレノイドボディ３９５に引き込んで、それまで規制位置にあって左把持レバー３０６の左当接板部３４２の鉛直下方にあった規制板３７２の規制板部３８２を、左当接板部３４２の鉛直下方から退避する許容位置に位置させる。すると、左把持レバー３０６及びこれに連動するロック部３５１の作動が許容される状態になる。つまり、制御部１４１は、駆動部３９１に給電して規制位置にある作動規制部３７１を許容位置に位置させる。
【０１３８】
この状態で、左把持レバー３０６が回動操作されるとロック部３５１がロックを解除して本体部９０に対する収納引出部７２の全閉位置からの引き出しを許容する。すなわち、左把持レバー３０６の左把持部３３３が、図示略の左把持レバースプリングの付勢力に抗して手前に引かれて左押圧板部３４３が下方に移動すると、左ロックレバー３５２の左ロックレバー支持軸３５３よりも前側が左押圧板部３４３で下向きに押圧されて下降する。すると、左ロックレバー３５２が左ロックレバースプリングの付勢力に抗して左ロックレバー支持軸３５３を中心に回動してロック片部３６２を上昇させることになり、図１４（Ｂ）に示すように、ロック片部３６２が左ロックピン３５４から上方に退避する。これにより、左ロックレバー３５２の左ロックピン３５４への係合が解除されて、収納引出部７２の本体部９０からの引き出し方向の移動が許容される。
【０１３９】
この状態で、本体部９０に対し収納引出部７２が全閉位置から引き出されると、その直後に、本体部９０に対し収納引出部７２が全閉位置から引き出されたことを図示略の引出検知センサが検知する。また、本体部９０に対し収納引出部７２が全閉位置から引き出されると、その直後に、保持部４０１の当接ローラ４０４が、本体部９０から離間して、保持部材４０２が保持部材スプリングの付勢力で先端延出板部４１３を規制板３７２の解除板部３８３に当接させて規制板３７２を許容位置に保持する。このタイミングより若干後のタイミングとなったことを、図示略の引出検知センサの検知タイミングに基づいて計ると、制御部１４１は、駆動部３９１への給電を停止する。つまり、制御部１４１は、本体部９０に対し収納引出部７２が全閉位置から引き出されると駆動部３９１への給電を停止する。
【０１４０】
制御部１４１が、駆動部３９１への給電を停止すると、駆動部３９１が許容位置にある作動規制部３７１を規制位置に位置させようとする。つまり、ソレノイド３９２の給電が解除されると、図示略の規制板スプリングが、それまで許容位置にあって左把持レバー３０６の左当接板部３４２の鉛直下方から退避していた規制板３７２の規制板部３８２を、左当接板部３４２の鉛直下方の規制位置に位置させようとする。しかしながら、本体部９０に対し収納引出部７２が全閉位置から引き出されると、制御部１４１による駆動部３９１への給電が停止されても、上記したように、保持部４０１の保持部材４０２が保持部材スプリングの付勢力で、保持部材４０２に当接する規制板３７２を許容位置に保持している。このため、左把持レバー３０６が回動操作可能な状態となり、これに連動するロック部３５１は作動が許容された状態となっている。操作者は、本体部９０に対し収納引出部７２を引き出すと、左把持レバー３０６の回動操作を解除することになる。左把持レバー３０６の回動操作が解除されると、左把持レバー３０６の左押圧板部３４３が上方に移動して、左ロックレバー３５２への下向きの押圧を解除する。その結果、左ロックレバー３５２が左ロックレバースプリングの付勢力で左ロックレバー支持軸３５３を中心に回動してロック片部３６２を下降させることになり、ロック片部３６２の高さを左ロックピン３５４に合わせる。
【０１４１】
本体部９０に対し引き出された状態にある収納引出部７２が全閉位置に向け押し込まれると、その手前の全閉前位置で、ロック部３５１が、本体部９０に対する収納引出部７２の全閉位置への押し込みを規制すると共に、押込規制部５５１が、本体部９０に対する収納引出部７２の全閉位置への押し込みを規制する。すなわち、収納引出部７２が本体部９０に対し全閉位置近傍まで押し込まれると、全閉前位置で、左ロックレバー３５２のロック片部３６２が左ロックピン３５４に当接して収納引出部７２の全閉位置への押し込みを規制すると同時に、右規制レバー５５４の規制片部５６２が右ストッパピン５５８に当接して収納引出部７２の全閉位置への押し込みを規制する。
【０１４２】
この状態で、左把持レバー３０６の左把持部３３３が手前に引かれると、左ロックレバー３５２の左ロックレバー支持軸３５３よりも前側が左把持レバー３０６の左押圧板部３４３で下向きに押圧されて下降し、左ロックレバー３５２が左ロックレバー支持軸３５３を中心に回動してロック片部３６２を上昇させることになり、ロック片部３６２が左ロックピン３５４から上方に退避する。これにより、ロック部３５１においては、収納引出部７２の本体部９０への押し込み方向の移動が許容される状態となる。但し、このように左把持レバー３０６が回動操作された状態でも、右把持レバー３１２が回動操作されなければ、押込規制部５５１が収納引出部７２の本体部９０への押し込み方向の移動を規制している。
【０１４３】
他方、右把持レバー３１２の右把持部５３３が手前に引かれると、上下リンク部材５５２が右把持レバー３１２の右押圧板部５４３で下向きに押圧されて下降し、中間リンク部材５５３の右規制レバー支持軸５５５よりも前側が上下リンク部材５５２で下向きに押圧されて下降し、中間リンク部材５５３、右規制レバー支持軸５５５及び右規制レバー５５４が右規制レバー支持軸５５５を中心に回動して右規制レバー５５４の規制片部５６２を上昇させることになり、規制片部５６２が右ストッパピン５５８から上方に退避する。これにより、押込規制部５５１においては、収納引出部７２の本体部９０への押し込み方向の移動が許容される状態となる。但し、このように右把持レバー３１２が回動操作された状態でも、左把持レバー３０６が回動操作されなければ、ロック部３５１が収納引出部７２の本体部９０への押し込み方向の移動を規制している。
【０１４４】
そして、右把持レバー３１２が回動操作され、これと同時に左把持レバー３０６が回動操作されて、ロック部３５１及び押込規制部５５１の両方が、収納引出部７２の本体部９０への押し込み方向の移動を許容する状態になった場合に限り、本体部９０に対し全閉位置まで収納引出部７２を押し込むことができる。本体部９０に対し全閉位置まで収納引出部７２が押し込まれると、保持部４０１の当接ローラ４０４が本体部９０に当接して押圧され、保持部材４０２が保持部材スプリングの付勢力に抗して回動して、規制板３７２の解除板部３８３から離れる。つまり、保持部４０１が作動規制部３７１の規制板３７２の許容位置への保持を解除する。これにより、規制板３７２は、図示略の規制板スプリングに付勢力で規制位置に位置可能となるものの、規制板部３８２が、回動操作されている左把持レバー３０６の左当接板部３４２に右側から当接していて、規制位置には位置しない。
【０１４５】
本体部９０に対し全閉位置まで収納引出部７２が押し込まれた状態で、左把持レバー３０６の回動操作が解除されると、ロック部３５１が収納引出部７２を全閉位置にロックすると共に、左当接板部３４２が規制板部３８２よりも上側に位置して規制板３７２が規制位置に位置する。すなわち、収納引出部７２が全閉位置まで押し込まれた後、左把持レバー３０６の回動操作が解除されると、左把持レバー３０６の左押圧板部３４３が上方に移動して、左ロックレバー３５２への下向きの押圧を解除する。その結果、左ロックレバー３５２が左ロックレバースプリングの付勢力で左ロックレバー支持軸３５３を中心に回動してロック片部３６２を下降させることになり、ロック片部３６２が左ロックピン３５４の後側に位置して、収納引出部７２の本体部９０からの引き出し方向の移動を規制してロックする。また、上記したように規制板部３８２が左把持レバー３０６の左当接板部３４２に当接していて、規制位置には位置していない規制板３７２は、左把持レバー３０６の回動操作が解除されて左当接板部３４２が規制板部３８２の上側に逃げる結果、駆動部３９１が作動規制部３７１を規制位置に位置させることになって、その後のロック部３５１の作動を規制する。すなわち、駆動部３９１の図示略の規制板スプリングが、プランジャ３９６をソレノイドボディ３９５から引き出しながら規制板３７２の規制板部３８２を、左把持レバー３０６の左当接板部３４２の鉛直下方の規制位置に位置させる。
【０１４６】
加えて、収納引出部７２が全閉位置まで押し込まれた後、右把持レバー３１２の回動操作が解除されると、右把持レバー３１２の右押圧板部５４３が上方に移動して、上下リンク部材５５２による中間リンク部材５５３への下向きの押圧を解除する結果、中間リンク部材５５３、右規制レバー支持軸５５５及び右規制レバー５５４が、右規制レバースプリングの付勢力で右規制レバー支持軸５５５を中心に回動して規制片部５６２を下降させることになり、右規制レバー５５４が右ストッパピン５５８に係合する。この状態でも、右規制レバー５５４は、収納引出部７２の本体部９０からの引き出し方向の移動を規制することはない。
【０１４７】
以上に述べた本実施形態に係る硬貨処理装置１０によれば、駆動部３９１に給電して規制位置にある作動規制部３７１を許容位置に位置させると、収納引出部７２がロック解除状態になる。駆動部３９１への給電が停止されると、駆動部３９１が許容位置にある作動規制部３７１を規制位置に位置させて収納引出部７２をロック状態にしようとする。しかしながら、保持部４０１が、駆動部３９１への給電が停止されると、駆動部３９１に抗して作動規制部３７１を許容位置に保持する。よって、駆動部３９１へ給電不能な状態になっても、別電源で給電を行う等の煩雑な操作を必要とせずに、収納引出部７２をロック解除状態に保持することができる。従って、操作が容易となる。
【０１４８】
また、本体部９０に対し収納引出部７２が引き出された状態で駆動部３９１への給電が停止されても、保持部４０１が、駆動部３９１に抗して作動規制部３７１を許容位置に保持する。よって、駆動部３９１へ給電不能な状態になっても、別電源で給電を行う等の煩雑な操作を必要とせずに、本体部９０への収納引出部７２の押し込みを行うことができる。従って、操作が容易となる。
【０１４９】
また、収納引出部７２が本体部９０に押し込まれると、保持部４０１が作動規制部３７１の許容位置への保持を解除する。すると、駆動部３９１が許容位置にある作動規制部３７１を規制位置に位置させて収納引出部７２をロック状態にする。
【０１５０】
また、ロック部３５１が、本体部９０に対し収納引出部７２をロック位置である全閉位置にロックした状態で、制御部１４１が、駆動部３９１に給電して規制位置にある作動規制部３７１を許容位置に位置させると、ロック部３５１の作動が許容される状態になる。この状態で、左把持レバー３０６が回動操作されるとロック部３５１がロックを解除して本体部９０に対する収納引出部７２の全閉位置からの引き出しを許容する。そして、本体部９０に対し収納引出部７２が全閉位置から引き出されると、制御部１４１は駆動部３９１への給電を停止する。すると、駆動部３９１が許容位置にある作動規制部３７１を規制位置に位置させようとする。しかしながら、本体部９０に対し収納引出部７２が全閉位置から引き出されると、保持部４０１が、制御部１４１による駆動部３９１への給電が停止されても、作動規制部３７１をバネ力で許容位置に保持する。このため、ロック部３５１は作動が許容された状態となり、左把持レバー３０６が回動操作されると本体部９０に対する全閉位置への収納引出部７２の押し込みを許容する。よって、本体部９０に対し全閉位置から収納引出部７２が引き出された状態で、制御部１４１から駆動部３９１へ給電不能な状態になっても、本体部９０に対し収納引出部７２を全閉位置まで押し込んでロック部３５１でロックすることができる。本体部９０に対しロック位置まで収納引出部７２が押し込まれて左把持レバー３０６の回動操作が解除されるとロック部３５１が収納引出部７２を全閉位置にロックする。本体部９０に対し全閉位置まで収納引出部７２が押し込まれると、保持部４０１が作動規制部３７１の許容位置への保持を解除するため、駆動部３９１が許容位置にある作動規制部３７１を規制位置に位置させることになり、その後のロック部３５１の作動を規制する。従って、本体部９０に対し収納引出部７２を全閉位置まで押し込むことをも制御部１４１から駆動部３９１への給電で行う構造であると、収納引出部７２が全閉位置から引き出された状態で、例えば電断が発生して、制御部１４１から駆動部３９１へ給電不能な状態になると、収納引出部７２を全閉位置まで押し込むことができなくなってしまうが、このような状態となることなく、本体部９０に対し収納引出部７２を全閉位置まで押し込むことができ、また、押し込むと本体部９０に対し収納引出部７２をロックすると共に、その後の引き出しを規制することになる。よって、駆動部３９１へ給電不能な状態になっても、別電源で給電を行う等の煩雑な操作を必要とせずに、本体部９０への収納引出部７２の押し込み及び押し込み後の収納引出部７２の引き出し規制を行うことができる。従って、操作が容易となる。つまり、収納引出部７２が本体部９０から引き出されても、バネ力で強制的に左取っ手３０１のロック解除状態を維持することで、収納引出部７２が本体部９０から引き出された状態で電断が発生しても、収納引出部７２を本体部９０に収容できる。従って、電断発生時に収納引出部７２が本体部９０から引き出された状態のまま維持されることなく、収納引出部７２を本体部９０に安全に収容することができる。
【０１５１】
また、ロック部３５１は、収納引出部７２に設けられた左ロックレバー３５２が、本体部９０に設けられた左ロックピン３５４に当接して本体部９０に対する収納引出部７２の全閉位置への押し込みを規制することになり、左把持レバー３０６が回動操作されることで左ロックレバー３５２が退避して本体部９０に対する収納引出部７２の全閉位置への押し込みを許容することになる。よって、ロック部３５１及びこれを含む作動部５７１は、簡素な構成で、本体部９０に対する収納引出部７２の全閉位置への押し込み規制及び規制解除を行うことができる。
【０１５２】
また、ロック部３５１において、本体部９０に対する収納引出部７２の全閉位置への押し込みを規制する左ロックレバー３５２及び左ロックピン３５４が、本体部９０に対し収納引出部７２をロックするため、押し込み規制とロックとで部品を兼用することになり、ロック部３５１及びこれを含む作動部５７１は、部品点数を低減することができる。
【０１５３】
また、左把持レバー３０６とは別の右把持レバー３１２が回動操作されることにより収納引出部７２の全閉位置への押し込みを許容する押込規制部５５１を備えるため、収納引出部７２の全閉位置への押し込み時に、左取っ手３０１の左把持レバー３０６及び右取っ手３０２の右把持レバー３１２の２つを把持しないと収納引出部７２を収容できないことになり、操作者に両手での操作を行わせることができる。
【０１５４】
また、押込規制部５５１において、収納引出部７２に設けられた右規制レバー５５４が、本体部９０に設けられた右ストッパピン５５８に当接して本体部９０に対する収納引出部７２の全閉位置への押し込みを規制することになる。よって、押込規制部５５１も、簡素な構成で、本体部９０に対する収納引出部７２の全閉位置への押し込み規制を行うことができる。押込規制部５５１を含む作動部５７１は、簡素な構成で、本体部９０に対する収納引出部７２の全閉位置への更に一つの押し込み規制を行うことができる。
【０１５５】
また、右規制レバー５５４は、本体部９０に対し収納引出部７２を全閉位置にロックしないため、本体部９０に対する収納引出部７２の全閉位置からの引き出し操作においては、右把持レバー３１２の回動操作を不要にできる。
【０１５６】
また、作動部５７１は、左把持レバー３０６と右把持レバー３１２とが同時に回動操作された状態になければ本体部９０に対する収納引出部７２の全閉位置への押し込みを規制するため、収納引出部７２の全閉位置への押し込み時には、左把持レバー３０６及び右把持レバー３１２が両手で回動操作される。このように、収納引出部７２の全閉位置への押し込み時に、力を加える必要がある収納引出部７２に対して両手操作を行わせることができるため、両手操作を必要としても、操作が容易となる。加えて、引出部の押し込み時に両手操作を必要とするので、引出部の押し込み時に手挟み（指づめ）することを防止でき、安全性を向上させることができる。
【０１５７】
また、収納引出部７２が本体部９０に最も押し込まれた全閉位置の近傍で本体部９０に対する収納引出部７２の押し込みを規制することができる。これにより、収納引出部７２の押し込み時に手挟み（指づめ）することを防止でき、安全性を向上させることができる。
【０１５８】
以上の実施形態を以下の変形例のように変更することができる。
【０１５９】
［変形例１］
硬貨処理装置１０は、硬貨処理部１１と棒金処理部１２とを備えているが、硬貨処理部１１のみを備えるものであっても良い。また、硬貨処理部１１は、硬貨入金部２１と、硬貨収納出金部２２とを有しているが、硬貨入金部２１のみを有するものであっても良い。
【０１６０】
［変形例２］
ロック部３５１、作動規制部３７１、駆動部３９１及び保持部４０１を、左取っ手３０１側に設けているが、左取っ手３０１側に設けずに右取っ手３０２側に設けても良く、その場合、左取っ手３０１側に押込規制部５５１を設けても良い。作動規制部３７１、駆動部３９１及び保持部４０１を、左取っ手３０１側及び右取っ手３０２側の両方に設けても良い。
【０１６１】
［変形例３］
左取っ手３０１、ロック部３５１、作動規制部３７１、駆動部３９１及び保持部４０１を収納引出部７２に設けているが、出金繰出引出部８５等、硬貨処理装置１０の他の引出部に設けても良い。
【０１６２】
［変形例４］
左取っ手３０１、ロック部３５１、作動規制部３７１、駆動部３９１及び保持部４０１を、硬貨処理装置以外の引出装置に設けても良い。
【０１６３】
［変形例５］
左取っ手３０１、ロック部３５１、作動規制部３７１、駆動部３９１及び保持部４０１と、右取っ手３０２及び押込規制部５５１とを、出金繰出引出部８５等、硬貨処理装置１０の他の引出部に設けても良い。
【０１６４】
［変形例６］
左取っ手３０１、ロック部３５１、作動規制部３７１、駆動部３９１及び保持部４０１と、右取っ手３０２及び押込規制部５５１とを、硬貨処理装置以外の引出装置に設けても良い。
【０１６５】
［変形例７］
押込規制部５５１は、中間リンク部材５５３を設けずに、上下リンク部材５５２が直接右規制レバー５５４を押圧するようにしても良い。例えば、右規制レバー５５４を上下リンク部材５５２の下端部の直下に配置する。または、上下リンク部材５５２の下部を折り曲げ或いは湾曲等させて、上下リンク部材５５２の下端部を右規制レバー５５４の直上に配置する。このような構成であっても、右把持レバー３１２の右把持部５３３が、図示略の右把持レバースプリングの付勢力に抗して手前に引かれて右押圧板部５４３が下方に移動すると、右押圧板部５４３に押圧されて上下リンク部材５５２が下降して、右規制レバー５５４の右規制レバー支持軸５５５よりも前側を下向きに押圧し、右規制レバー５５４の規制片部５６２を上昇させて、規制片部５６２が右ストッパピン５５８から上方に退避することができる。
【符号の説明】
【０１６６】
１０…硬貨処理装置（引出装置）、７２…収納引出部（引出部）９０…本体部、１４１…制御部、３０６…左把持レバー（第１のレバー）、３１２…右把持レバー（第２のレバー）、３５１…ロック部、３５２…左ロックレバー（規制部材）、３５４…左ロックピン（当接部）、３７１…作動規制部、３９１…駆動部、４０１…保持部、５５１…押込規制部、５５４…右規制レバー（作動部材）、５５８…右ストッパピン（ストッパ部）、５７１…作動部。
【図１】
2018081356.tif 000003
【図２】
2018081356.tif 000004
【図３】
2018081356.tif 000005
【図４】
2018081356.tif 000006
【図５】
2018081356.tif 000007
【図６】
2018081356.tif 000008
【図７】
2018081356.tif 000009
【図８】
2018081356.tif 000010
【図９】
2018081356.tif 000011
【図１０】
2018081356.tif 000012
【図１１】
2018081356.tif 000013
【図１２】
2018081356.tif 000014
【図１３】
2018081356.tif 000015
【図１４】
2018081356.tif 000016
【図１５】
2018081356.tif 000017
【図１６】
2018081356.tif 000018
【図１７】
2018081356.tif 000019
【図１８】
2018081356.tif 000020